(57)【要約】【課題】効率的に通信を行なうこと。【解決手段】第１のリソースプールリスト、および、第２のリソースプールリストに基づいて、第１のサイドリンク物理チャネル、および、前記第１のサイドリンク物理チャネルに関連するＤＭＲＳ（Demodulation Reference Signal）を送信する送信部と、端末装置の速度に基づいて、前記第１のリソースプールリスト、または、前記第２のリソースプールリストを選択するリソース設定部を備え、前記リソース設定部は、前記端末装置の速度が、第１の閾値を超えない場合には、前記第１のリソースプールリストから第１のリソースプールを選択し、前記端末装置の速度が、前記第１の閾値を超える場合には、前記第２のリソースプールリストから第２のリソースプールを選択する。【選択図】図５
2019149594.tif 000002
【特許請求の範囲】
【請求項１】
第１のリソースプールリスト、および、第２のリソースプールリストに基づいて、第１のサイドリンク物理チャネル、および、前記第１のサイドリンク物理チャネルに関連するＤＭＲＳ（Demodulation Reference Signal）を送信する送信部と、
端末装置の速度に基づいて、前記第１のリソースプールリスト、または、前記第２のリソースプールリストを選択するリソース設定部を備え、
前記リソース設定部は、
前記端末装置の速度が、第１の閾値を超えない場合には、前記第１のリソースプールリストから第１のリソースプールを選択し、
前記端末装置の速度が、前記第１の閾値を超える場合には、前記第２のリソースプールリストから第２のリソースプールを選択し、
前記第１のリソースプールのＴＴＩ（Transmission Time Interval）内の前記第１のサイドリンク物理チャネルのマッピングおよび／または前記ＤＭＲＳのマッピングは、前記第２のリソースプールのＴＴＩ内の前記第１のサイドリンク物理チャネルのマッピングおよび／または前記ＤＭＲＳのマッピングと異なる
端末装置。
【請求項２】
前記端末装置がアウトオブカバレッジである場合、前記第１のリソースプールリスト、および、前記第２のリソースプールリストは、前記端末装置の事前設定に基づいて与えられる
請求項１記載の端末装置。
【請求項３】
前記端末装置がインカバレッジである場合、前記第１のリソースプールリスト、および、前記第２のリソースプールリストは、受信したＳＩＢ（System Information Block）に基づいて与えられる
請求項１記載の端末装置。
【請求項４】
第３のリソースプールリスト、および、第４のリソースプールリストに基づいて、前記第１のサイドリンク物理チャネル、および、前記ＤＭＲＳを受信する受信部と、を備え、
前記受信部は、
端末装置がアウトオブカバレッジである場合には、前記端末装置の事前設定に含まれる、前記第３のリソースプールリスト、および、前記第４のリソースプールリストに基づく、前記第１のサイドリンク物理チャネルおよび前記ＤＭＲＳを受信し、
前記第３のリソースプールリストに含まれる第３のリソースプールにおける第１のサイドリンク物理チャネルおよび関連するＤＭＲＳのマッピング、および、前記第４のリソースプールリストに含まれる第４のリソースプールにおける第１のサイドリンク物理チャネルおよび関連するＤＭＲＳのマッピングは異なる
請求項１記載の端末装置。
【請求項５】
前記端末装置がインカバレッジである場合には、受信したＳＩＢ（System Information
Block）に含まれるパラメータに基づいて、前記第３のリソースプールにおける第１のサイドリンク物理チャネルおよび関連するＤＭＲＳのマッピング、および、前記第３のリソースプールにおける第１のサイドリンク物理チャネルおよび関連するＤＭＲＳのマッピングが決定される
請求項４記載の端末装置。
【請求項６】
第１のリソースプールリスト、および、第２のリソースプールリストに基づいて、第１のサイドリンク物理チャネル、および、前記第１のサイドリンク物理チャネルに関連するＤＭＲＳ（Demodulation Reference Signal）を送信するステップと、
端末装置の速度に基づいて、前記第１のリソースプールリスト、または、前記第２のリソースプールリストを選択するステップと、
前記端末装置の速度が、第１の閾値を超えない場合には、前記第１のリソースプールリストから第１のリソースプールを選択するステップと、
前記端末装置の速度が、前記第１の閾値を超える場合には、前記第２のリソースプールリストから第２のリソースプールを選択ステップと、を含み、
前記第１のリソースプールのＴＴＩ（Transmission Time Interval）内の前記第１のサイドリンク物理チャネルのマッピングおよび／または前記ＤＭＲＳのマッピングは、前記第２のリソースプールのＴＴＩ内の前記第１のサイドリンク物理チャネルのマッピングおよび／または前記ＤＭＲＳのマッピングと異なる
方法。
【発明の詳細な説明】
【技術分野】
【０００１】
本発明の実施形態は、効率的な通信を実現する端末装置および方法の技術に関する。
【背景技術】
【０００２】
標準化プロジェクトである３ＧＰＰ（3rd General Partnership Project）において、
ＯＦＤＭ（Orthogonal Frequency Division Multiplexing）通信方式やリソースブロックと呼ばれる所定の周波数・時間単位の柔軟なスケジューリングの採用によって、高速な通信を実現させたＥＵＴＲＡ（Evolved Universal Terrestrial Radio Access）の標準化が行なわれた。なお、ＥＵＴＲＡにおける標準化技術を採用した通信全般をＬＴＥ（Long Term Evolution）通信と称する場合もある。
【０００３】
また、３ＧＰＰでは、より高速なデータ伝送を実現し、ＥＵＴＲＡに対して上位互換性を持つＡ−ＥＵＴＲＡ（Advanced EUTRA）の検討を行なっている。ＥＵＴＲＡでは、基地局装置がほぼ同一のセル構成（セルサイズ）から成るネットワークを前提とした通信システムであったが、Ａ−ＥＵＴＲＡでは、異なる構成の基地局装置（セル）が同じエリアに混在しているネットワーク（異種無線ネットワーク、ヘテロジニアスネットワーク）を前提とした通信システムが検討されている。
【０００４】
さらに、３ＧＰＰにおいて、Ｖ２Ｘ（Vehicle to Everything）サービスを実現するた
めの技術が検討されている（非特許文献１）。
【先行技術文献】
【非特許文献】
【０００５】
【非特許文献１】”3GPP TR 36.885 v.1.0.0 (2016-03)”, RP-160439, 7th-10th Mar. 2015.
【発明の概要】
【発明が解決しようとする課題】
【０００６】
通信装置（端末装置および／または基地局装置）において、従来の送信制御では効率的な通信を行なうことができない場合がある。
【０００７】
本発明は上記の点に鑑みてなされたものであり、その目的は、効率的に通信を行なうための、送信制御を行なうことができる端末装置および方法を提供することである。
【課題を解決するための手段】
【０００８】
（１）上記の目的を達成するために、本発明は、以下のような手段を講じた。すなわち、本発明の一態様による端末装置は、上記の目的を達成するために、本発明は、以下のような手段を講じた。すなわち、本発明の一態様による端末装置は、第１のリソースプールリスト、および、第２のリソースプールリストに基づいて、第１のサイドリンク物理チャネル、および、前記第１のサイドリンク物理チャネルに関連するＤＭＲＳ（Demodulation
Reference Signal）を送信する送信部と、端末装置の速度に基づいて、前記第１のリソ
ースプールリスト、または、前記第２のリソースプールリストを選択するリソース設定部を備え、前記リソース設定部は、前記端末装置の速度が、第１の閾値を超えない場合には、前記第１のリソースプールリストから第１のリソースプールを選択し、前記端末装置の速度が、前記第１の閾値を超える場合には、前記第２のリソースプールリストから第２のリソースプールを選択し、前記第１のリソースプールのＴＴＩ（Transmission Time Interval）内の前記第１のサイドリンク物理チャネルのマッピングおよび／または前記ＤＭＲ
Ｓのマッピングは、前記第２のリソースプールのＴＴＩ内の前記第１のサイドリンク物理チャネルのマッピングおよび／または前記ＤＭＲＳのマッピングと異なる。
【０００９】
（２）また、本発明の一態様による方法は、第１のリソースプールリスト、および、第２のリソースプールリストに基づいて、第１のサイドリンク物理チャネル、および、前記第１のサイドリンク物理チャネルに関連するＤＭＲＳ（Demodulation Reference Signal
）を送信するステップと、端末装置の速度に基づいて、前記第１のリソースプールリスト、または、前記第２のリソースプールリストを選択するステップと、前記端末装置の速度が、第１の閾値を超えない場合には、前記第１のリソースプールリストから第１のリソースプールを選択するステップと、前記端末装置の速度が、前記第１の閾値を超える場合には、前記第２のリソースプールリストから第２のリソースプールを選択ステップと、を含み、前記第１のリソースプールのＴＴＩ（Transmission Time Interval）内の前記第１のサイドリンク物理チャネルのマッピングおよび／または前記ＤＭＲＳのマッピングは、前記第２のリソースプールのＴＴＩ内の前記第１のサイドリンク物理チャネルのマッピングおよび／または前記ＤＭＲＳのマッピングと異なる。
【発明の効果】
【００１０】
この発明によれば、基地局装置と端末装置が通信する無線通信システムにおいて、伝送効率を向上させることができる。
【図面の簡単な説明】
【００１１】
【図１】第１の実施形態に係る下りリンクの無線フレーム構成の一例を示す図である。
【図２】第１の実施形態に係る上りリンクおよび／またはサイドリンクの無線フレーム構成の一例を示す図である。
【図３】第１の実施形態に係るサイドリンク物理チャネルおよび関連するＤＭＲＳのマッピングパターンの一例を示す図である。
【図４】第１の実施形態に係る基地局装置のブロック構成の一例を示す図である。
【図５】第１の実施形態に係る端末装置のブロック構成の一例を示す図である。
【発明を実施するための形態】
【００１２】
＜第１の実施形態＞
本発明の第１の実施形態について以下に説明する。基地局装置（基地局、ノードＢ、ｅＮＢ（EUTRAN NodeB、evolved NodeB））と端末装置（端末、移動局、ユーザ装置、ＵＥ
（User equipment））とが、セルにおいて通信する通信システムを用いて説明する。
【００１３】
本実施形態で使用される主な物理チャネルおよび物理信号、フレーム構造について説明する。チャネルとは信号の送信に用いられる媒体を意味し、物理チャネルとは信号の送信に用いられる物理的な媒体を意味する。本実施形態において、物理チャネルは、物理信号と同義的に使用されてもよい。物理チャネルは、ＬＴＥにおいて、今後追加、または、その構造／構成やフォーマットが変更または追加される可能性があるが、変更または追加された場合でも本発明の各実施形態の説明には影響しない。
【００１４】
本実施形態に係るフレーム構造タイプについて説明する。
【００１５】
フレーム構造タイプ１（ＦＳ１）は、ＦＤＤ（Frequency Division Duplex）に対して
適用される。つまり、ＦＳ１は、ＦＤＤがサポートされたセルオペレーションに対して適用される。ＦＳ１は、ＦＤ−ＦＤＤ（Full Duplex-FDD）とＨＤ−ＦＤＤ（Half Duplex-FDD）の両方に適用できる。
【００１６】
ＦＤＤにおいて、下りリンク送信と上りリンク送信は周波数領域で分けられている。言い換えると、下りリンク送信と上りリンク送信でそれぞれ、オペレーティングバンドが規定される。つまり、下りリンク送信と上りリンク送信で異なるキャリア周波数が適用される。そのため、ＦＤＤでは、下りリンク送信および上りリンク送信のそれぞれに対して、１０サブフレームが利用可能である。ＨＤ−ＦＤＤオペレーションにおいて、端末装置は、同時に送信および受信を行なうことができないが、ＦＤ−ＦＤＤオペレーションにおいて、端末装置は、同時に送信および受信を行なうことができる。
【００１７】
ＨＤ−ＦＤＤオペレーションにおいて、端末装置は、同時に送信および受信を行なうことができないが、ＦＤ−ＦＤＤオペレーションにおいて、端末装置は、同時に送信および受信を行なうことができる。
【００１８】
さらに、ＨＤ−ＦＤＤには２つのタイプがある。タイプＡ・ＨＤ−ＦＤＤオペレーションに対しては、ガードピリオドは、同じ端末装置からの上りリンクサブフレームの直前の下りリンクサブフレームの最後尾部分（最後尾のシンボル）を受信しないことによって端末装置によって生成される。タイプＢ・ＨＤ−ＦＤＤオペレーションに対しては、ＨＤガードサブフレームとして参照された、ガードピリオドは、同じ端末装置からの上りリンクサブフレームの直前の下りリンクサブフレームを受信しないことによって、および、同じ端末装置からの上りリンクサブフレームの直後の下りリンクサブフレームを受信しないことによって端末装置によって生成される。つまり、ＨＤ−ＦＤＤオペレーションにおいて、端末装置が下りリンクサブフレームの受信処理を制御することによってガードピリオドを生成している。なお、シンボルは、ＯＦＤＭシンボルまたはＳＣ−ＦＤＭＡシンボルのいずれかを含んでもよい。
【００１９】
フレーム構造タイプ２（ＦＳ２）は、ＴＤＤ（Time Division Duplex）に対して適用される。つまり、ＦＳ２は、ＴＤＤがサポートされたセルオペレーションに対して適用される。各無線フレームは、２つのハーフフレームで構成される。各ハーフフレームは、５つのサブフレームで構成される。あるセルにおけるＵＬ−ＤＬ設定は、無線フレーム間で変更されてもよい。上りリンクまたは下りリンク送信におけるサブフレームの制御は、最新の無線フレームにおいて行なわれてもよい。端末装置は、最新の無線フレームにおけるＵＬ−ＤＬ設定を、ＰＤＣＣＨまたは上位層シグナリングを介して取得することができる。なお、ＵＬ−ＤＬ設定は、ＴＤＤにおける、上りリンクサブフレーム、下りリンクサブフレーム、スペシャルサブフレームの構成を示す。スペシャルサブフレームは、下りリンク送信が可能なＤｗＰＴＳ（Downlink Pilot Time Slot）、ガードピリオド（ＧＰ）、上りリンク送信が可能なＵｐＰＴＳ（Uplink Pilot Time Slot）から構成される。スペシャルサブフレームにおけるＤｗＰＴＳとＵｐＰＴＳの構成はテーブルで管理されており、端末装置は、上位層シグナリングを介して、その構成を取得することができる。なお、スペシャルサブフレームが下りリンクから上りリンクへのスイッチングポイントとなる。つまり、端末装置は、スイッチングポイントを境に、受信から送信へと遷移し、基地局装置は、送信から受信へと遷移する。スイッチングポイントは、５ｍｓ周期と１０ｍｓ周期とがある。スイッチングポイントが５ｍｓ周期の場合、スペシャルサブフレームは両方のハーフフレームに存在する。スイッチングポイントが１０ｍｓ周期の場合、スペシャルサブフレームは、第１のハーフフレームにのみ存在する。
【００２０】
ＵｐＰＴＳに対して２シンボルが割り当てられる場合、ＳＲＳ（Sounding Reference Signal）とＰＲＡＣＨ（Physical Random Access Channel）プリアンブルフォーマット４
が配置可能である。
【００２１】
また、ＴＤＤでは、各セルの通信量（トラフィック量）や干渉を考慮した、ｅＩＭＴＡ（TDD enhanced Interference Management and Traffic Adaptation）技術が適用可能で
ある。ｅＩＴＭＡは、下りリンクおよび／または上りリンクの通信量や干渉量を考慮して、ダイナミックに（Ｌ１（Layer 1）レベル、または、Ｌ１シグナリングを用いて）ＴＤ
Ｄの設定を切り替えることによって、無線フレーム内（つまり、１０サブフレーム内）に占める、下りリンクサブフレームと上りリンクサブフレームの割合を変え、最適な通信を行なう技術である。
【００２２】
ＦＳ１とＦＳ２は、ＮＣＰ（Normal Cyclic Prefix）とＥＣＰ（Extended Cyclic Prefix）が適用される。
【００２３】
フレーム構造タイプ３（ＦＳ３）は、ＬＡＡ（Licensed Assisted Access）セカンダリセルオペレーションに対して適用される。また、ＦＳ３は、ＮＣＰのみが適用されてもよい。無線フレームに含まれる１０サブフレームは、下りリンク送信に利用される。端末装置は、規定されない限り、または、下りリンク送信がそのサブフレームで検出されない限り、いずれかの信号があるサブフレームに存在すると仮定せず、空のサブフレームとして、そのサブフレームを処理する。下りリンク送信は１つまたは複数の連続するサブフレームを専有する。連続するサブフレームは、最初のサブフレームと最後のサブフレームを含む。最初のサブフレームは、そのサブフレームのいずれかのシンボルまたはスロット（例えば、ＯＦＤＭシンボル＃０または＃７）から始まる。また、最後のサブフレームは、フルサブフレーム（つまり、１４ＯＦＤＭシンボル）か、ＤｗＰＴＳ期間の１つに基づいて示されたＯＦＤＭシンボルの数だけ専有される。なお、連続するサブフレームのうち、あるサブフレームが最後のサブフレームであるかどうかは、ＤＣＩフォーマットに含まれるあるフィールドによって、端末装置に示される。そのフィールドは、さらに、そのフィールドを検出したサブフレームまたその次のサブフレームに用いられるＯＦＤＭシンボルの数が示されてもよい。また、ＦＳ３では、基地局装置は、下りリンク送信を行なう前に、ＬＢＴに関連するチャネルアクセス手順を行なう。
【００２４】
なお、ＦＳ３において、下りリンク送信のみをサポートしているが、上りリンク送信もサポートしてもよい。その際、下りリンク送信のみをサポートしているＦＳ３をＦＳ３−１またはＦＳ３−Ａ、下りリンク送信および上りリンク送信をサポートしているＦＳ３をＦＳ３−２またはＦＳ３−Ｂとして規定されてもよい。
【００２５】
ＦＳ３をサポートしている端末装置および基地局装置は、免許不要の周波数帯で通信を行なってもよい。
【００２６】
ＬＡＡまたはＦＳ３のセルに対応するオペレーティングバンドは、ＥＵＴＲＡオペレーティングバンドのテーブルとともに管理されてもよい。例えば、ＥＵＴＲＡオペレーティングバンドのインデックスは、１〜４４で管理され、ＬＡＡ（またはＬＡＡの周波数）に対応するオペレーティングバンドのインデックスは、４６で管理されてもよい。例えば、インデックス４６では、下りリンクの周波数帯のみが規定されてもよい。また、一部のインデックスにおいては、上りリンクの周波数帯が予約または将来規定されるものとして予め確保されてもよい。また、対応するデュプレックスモードは、ＦＤＤやＴＤＤとは異なるデュプレックスモードであってもよいし、ＦＤＤやＴＤＤであってもよい。ＬＡＡオペレーションが可能な周波数は、５ＧＨｚ以上であることが好ましいが、５ＧＨｚ以下であってもよい。つまり、ＬＡＡに対応するオペレーティングバンドとして、対応付けられた周波数において、ＬＡＡオペレーションの通信が行なわれてもよい。
【００２７】
次に、本実施形態に係る下りリンクおよび上りリンクの無線フレーム構成について説明する。
【００２８】
図１は、本実施形態に係る下りリンクの無線フレーム構成の一例を示す図である。下り
リンクはＯＦＤＭアクセス方式が用いられる。
【００２９】
基地局装置から端末装置への下りリンクの無線通信では、以下の下りリンク物理チャネルが用いられてもよい。ここで、下りリンク物理チャネルは、上位層から出力された情報を送信するために用いられてもよい。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ｓＰＤＣＣＨ（short/shorter/shortened Physical Downlink Control Channel, PDCCH
for sTTI）
・ＰＤＳＣＨ（Physical Downlink Shared Channel）
・ｓＰＤＳＣＨ（short/shorter/shortened Physical Downlink Shared Channel, PDSCH for sTTI）
・ＰＭＣＨ（Physical Multicast Channel）
【００３０】
下りリンクの無線通信では、以下の下りリンク物理信号が用いられてもよい。ここで、下りリンク物理信号は、上位層から出力された情報を送信するために使用されないが、物理層によって使用される。
・同期信号（Synchronization signal: SS）
・下りリンク参照信号（Downlink Reference Signal: DL RS）
・ＤＳ（Discovery Signal）
【００３１】
本実施形態において、以下の５つのタイプの下りリンク参照信号が用いられてもよい。・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００３２】
下りリンクの無線フレームは、下りリンクのリソースブロック（ＲＢ）ペアから構成されている。この下りリンクのＲＢペアは、下りリンクの無線リソースの割り当てなどの単位であり、予め決められた幅の周波数帯（ＲＢ帯域幅）および時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成される。また、時間領域においては、ＮＣＰが付加される場合には７個、ＮＣＰよりも長いＣＰ長を有するＥＣＰが付加される場合には６個のＯＦＤＭシンボルから構成される。周波数領域において１つのサブキャリア、時間領域において１つのＯＦＤＭシンボルにより規定される領域をリソースエレメント（ＲＥ）と称する。ＰＤＣＣＨ／ＥＰＤＣＣＨは、端末装置識別子、ＰＤＳＣＨのスケジューリング情報、ＰＵＳＣＨ（Physical Uplink Shared Channel）のスケジューリング情報、変調方式、符号化率、再送パラメータなどの下りリンク制御情報（ＤＣＩ）が送信される物理チャネルである。なお、ここでは１つのコンポーネントキャリア（ＣＣ）における下りリンクサブフレームを記載しているが、ＣＣ毎に下りリンクサブフレームが規定され、下りリンクサブフレームはＣＣ間でほぼ同期している。ここで、ＣＣ間でほ
ぼ同期しているとは、基地局装置から複数のＣＣを用いて送信する場合、各ＣＣの送信タイミングの誤差が所定の範囲内に収まることである。
【００３３】
なお、ここでは図示していないが、下りリンクサブフレームには、ＳＳやＰＢＣＨやＤＬＲＳが配置されてもよい。ＤＬＲＳとしては、ＰＤＣＣＨと同じアンテナポート（送信ポート）で送信されるＣＲＳ、チャネル状態情報（ＣＳＩ）の測定に用いられるＣＳＩ−ＲＳ、一部のＰＤＳＣＨと同じアンテナポートで送信されるＵＲＳ、ＥＰＤＣＣＨと同じ送信ポートで送信されるＤＭＲＳがある。また、ＣＲＳが配置されないキャリアであってもよい。このとき一部のサブフレーム（例えば、無線フレーム中の１番目と６番目のサブフレーム）に、時間および／または周波数のトラッキング用の信号として、ＣＲＳの一部のアンテナポート（例えば、アンテナポート０だけ）あるいは全部のアンテナポートに対応する信号と同様の信号（拡張同期信号と呼称する）を挿入することができる。ここで、アンテナポートは送信ポートと称されてもよい。ここで、“物理チャネル／物理信号がアンテナポートで送信される”とは、アンテナポートに対応する無線リソースやレイヤを用いて物理チャネル／物理信号が送信されるという意味を含む。例えば、受信部は、アンテナポートに対応する無線リソースやレイヤから物理チャネルや物理信号を受信することを意味する。
【００３４】
図２は、本実施形態に係る上りリンクの無線フレーム構成の一例を示す図である。上りリンクはＳＣ−ＦＤＭＡ方式が用いられる。
【００３５】
端末装置から基地局装置への上りリンクの無線通信では、以下の上りリンク物理チャネルが用いられてもよい。ここで、上りリンク物理チャネルは、上位層から出力された情報を送信するために用いられる。
・ＰＵＣＣＨ（Physical Uplink Control Channel）
・ｓＰＵＣＣＨ（short/shorter/shortened Physical Uplink Control Channel, PUCCH for short TTI）
・ＰＵＳＣＨ（Physical Uplink Shared Channel）
・ｓＰＵＳＣＨ（short/shorter/shortened Physical Uplink Shared Channel, PUSCH for short TTI）
・ＰＲＡＣＨ（Physical Random Access Channel）
・ｓＰＲＡＣＨ（short/shorter/shortened Physical Random Access Channel, PRACH for short TTI）
【００３６】
上りリンクの無線通信では、以下の上りリンク物理信号が用いられてもよい。ここで、上りリンク物理信号は、上位層から出力された情報を送信するために用いられないが、物理層によって用いられる。
・上りリンク参照信号（Uplink Reference Signal : UL RS）
【００３７】
本実施形態において、以下の２つのタイプの上りリンク参照信号が用いられてもよい。・ＤＭＲＳ（Demodulation Reference Signal）
・ＳＲＳ（Sounding Reference Signal）
【００３８】
上述した下りリンクおよび／または上りリンクに対する、物理チャネルおよび／または物理信号の設定に用いられるパラメータは、物理層の信号（例えば、ＰＤＣＣＨ）、および／または、上位層の信号（例えば、ＲＲＣシグナリング、ＭＡＣ  ＣＥ、システムインフォメーション）を介して、基地局装置から端末装置に通知され、設定されてもよい。
【００３９】
上りリンクでは、ＰＵＳＣＨ（Physical Uplink Shared Channel）、ＰＵＣＣＨ（Physical Uplink Control Channel）などが割り当てられる。また、ＰＵＳＣＨやＰＵＣＣＨ
とともに、ＵＬＲＳ（Uplink Reference Signal）が割り当てられる。上りリンクの無線
フレームは、上りリンクのＲＢペアから構成されている。この上りリンクのＲＢペアは、上りリンクの無線リソースの割り当てなどの単位であり、予め決められた幅の周波数領域（ＲＢ帯域幅）および時間領域（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成される。時間領域においては、ＮＣＰが付加される場合には７個、ＥＣＰが付加される場合には６個のＳＣ−ＦＤＭＡシンボルから構成される。なお、ここでは１つのＣＣにおける上りリンクサブフレームを記載しているが、ＣＣ毎に上りリンクサブフレームが規定されてもよい。
【００４０】
図１と図２は、異なる物理チャネル／物理信号は周波数分割多重（ＦＤＭ）および／または時分割多重（ＴＤＭ）されている例を示している。
【００４１】
なお、ｓＴＴＩ（short/shorter/shortened Transmission Time Interval）に対して、種々の物理チャネルおよび／または物理信号が送信される場合、各物理チャネルおよび／または物理信号はそれぞれ、ｓＰＤＳＣＨ、ｓＰＤＣＣＨ、ｓＰＵＳＣＨ、ｓＰＵＣＣＨ、ｓＰＲＡＣＨと称されてもよい。
【００４２】
ｓＴＴＩに対して物理チャネルが送信される場合には、その物理チャネルを構成するＯＦＤＭシンボルおよび／またはＳＣ−ＦＤＭＡシンボルの数は、ＮＣＰで１４シンボル（ＥＣＰで１２シンボル）以下のシンボル数を用いてもよい。また、ｓＴＴＩに対する物理チャネルに用いられるシンボルの数は、ＤＣＩおよび／またはＤＣＩフォーマットを用いて設定されてもよいし、上位層シグナリングを用いて設定されてもよい。ｓＴＴＩに用いられるシンボルの数だけでなく、時間方向のスタートシンボルが設定されてもよい。
【００４３】
また、ｓＴＴＩは、システム帯域幅内の特定の帯域幅内で送信されてもよい。ｓＴＴＩとして設定される帯域幅は、ＤＣＩおよび／またはＤＣＩフォーマットを用いて設定されてもよいし、上位層シグナリング（ＲＲＣシグナリング、ＭＡＣ  ＣＥ）を用いて設定されてもよい。帯域幅は、スタートとエンドのリソースブロックインデックスまたは周波数ポジションを用いて設定されてもよいし、帯域幅とスタートのリソースブロックインデックス／周波数ポジションを用いて設定されてもよい。ｓＴＴＩがマップされる帯域幅をｓＴＴＩバンドと称されてもよい。ｓＴＴＩバンド内でマップされる物理チャネルをｓＴＴＩに対する物理チャネルと称されてもよい。ｓＴＴＩに対する物理チャネルには、ｓＰＤＳＣＨ、ｓＰＤＣＣＨ、ｓＰＵＳＣＨ、ｓＰＵＣＣＨ、ｓＰＲＡＣＨが含まれてもよい。
【００４４】
ｓＴＴＩを規定するために用いられる情報／パラメータがＤＣＩおよび／またはＤＣＩフォーマットを用いて設定される場合、それらのＤＣＩおよび／またはＤＣＩフォーマットは特定のＲＮＴＩを用いてスクランブルされてもよいし、特定のＲＮＴＩによってスクランブルされたＣＲＣがＤＣＩフォーマットを構成するビット列に付加されてもよい。
【００４５】
ここで、下りリンク物理チャネルおよび下りリンク物理信号を総称して、下りリンク信号とも称する。また、上りリンク物理チャネルおよび上りリンク物理信号を総称して、上りリンク信号とも称する。下りリンク物理チャネルおよび上りリンク物理チャネルを総称して、物理チャネルとも称する。下りリンク物理信号および上りリンク物理信号を総称して、物理信号とも称する。
【００４６】
ＰＢＣＨは、端末装置で共通に用いられるマスターインフォメーションブロック（MIB,
Broadcast Channel: BCH）を報知するために用いられる。
【００４７】
ＰＣＦＩＣＨは、端末装置（UE）、および／または、中継局装置（RN）に、ＰＤＣＣＨの送信に用いられる領域（ＯＦＤＭシンボルの数）を指示する情報を送信するために用いられる。ＰＣＦＩＣＨは、全ての下りリンクまたはスペシャルサブフレームで送信される。
【００４８】
ＰＨＩＣＨは、基地局装置（eNB）が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信す
るために用いられる。つまり、ＰＨＩＣＨは、上りリンク送信に応答するＨＡＲＱ−ＡＣＫ（ＡＣＫ／ＮＡＣＫ）を伝送するために用いられる。
【００４９】
ＰＤＣＣＨ、ＥＰＤＣＣＨ、および／または、ｓＰＤＣＣＨは、下りリンク制御情報（ＤＣＩ）、および／または、サイドリンク制御情報（ＳＣＩ）を送信するために用いられる。本実施形態において、ＰＤＣＣＨは、ＥＰＤＣＣＨを含んでもよい。また、ＰＤＣＣＨは、ｓＰＤＣＣＨを含んでもよい。
【００５０】
ここで、ＰＤＣＣＨ、ＥＰＤＣＣＨ、および／または、ｓＰＤＣＣＨで送信されるＤＣＩに対して、複数のＤＣＩフォーマットが定義されてもよい。また、ＤＣＩフォーマットにおいて定義されたＤＣＩに対するフィールドは、所定の情報ビットへマップされてもよい。
【００５１】
ここで、ＰＤＣＣＨ、ＥＰＤＣＣＨ、および／または、ｓＰＤＣＣＨで送信されるＳＣＩに対して、ＤＣＩフォーマット、および／または、ＳＣＩフォーマットが定義されてもよい。また、ＤＣＩフォーマットおよび／またはＳＣＩフォーマットにおいて定義されたＳＣＩに対するフィールドは、所定の情報ビットへマップされてもよい。
【００５２】
あるサービングセルにおいて、つまり、あるサービングセルにおける端末装置と基地局装置において、ｓＴＴＩに対する物理チャネルが送信可能な場合、端末装置は、ｓＴＴＩを設定するための情報／パラメータを含むＤＣＩフォーマット（ＤＣＩフォーマットに定義されたフィールド）および／またはＳＣＩフォーマット（ＳＣＩフォーマットに定義されたフィールド）がマップされたＰＤＣＣＨ／ＥＰＤＣＣＨ／ｓＰＤＣＣＨをモニタしてもよい。つまり、基地局装置は、ｓＴＴＩを用いた物理チャネルの送信および／または受信をサポートしている端末装置に対して、ＰＤＣＣＨ／ＥＰＤＣＣＨ／ｓＰＤＣＣＨに、ｓＴＴＩを設定するための情報／パラメータを含むＤＣＩフォーマットおよび／またはＳＣＩフォーマットをマップして送信してもよい。
【００５３】
ここで、下りリンクに対するＤＣＩフォーマットを、下りリンクのＤＣＩ、下りリンクグラント（ＤＬグラント）、および／または、下りリンクスケジューリンググラント、および／または、下りリンクアサインメントとも称する。また、上りリンクに対するＤＣＩフォーマットを、上りリンクのＤＣＩ、上りリンクグラント（ＵＬグラント）、および／または、上りリンクスケジューリンググラント、および／または、上りリンクアサインメントとも称する。また、サイドリンクに対するＳＣＩフォーマットを、サイドリンクグラント（ＳＬグラント）、および／または、サイドリンクスケジューリンググラント、および／または、サイドリンクアサインメントとも称する。
【００５４】
例えば、下りリンクアサインメントとして、１つのセルにおける１つのＰＤＳＣＨのスケジューリングのために用いられるＤＣＩフォーマット（例えば、ＤＣＩフォーマット１、ＤＣＩフォーマット１Ａ、および／または、ＤＣＩフォーマット１Ｃ、または、第１のＤＬグラント）が定義されてもよい。
【００５５】
また、上りリンクグラントとして、１つのセルにおける１つのＰＵＳＣＨのスケジューリングのために用いられるＤＣＩフォーマット（例えば、ＤＣＩフォーマット０、および／または、ＤＣＩフォーマット４、または、第１のＵＬグラント）が定義されてもよい。
【００５６】
また、サイドリンクグラントとして、ＰＳＣＣＨ（Physical Sidelink Control Channel）、および／または、ＰＳＳＣＨ（Physical Sidelink Shared Channel）のスケジュー
リングのために用いられるＤＣＩフォーマット（例えば、ＤＣＩフォーマット５、または、第１のＳＬグラント）が定義されてもよい。サイドリンクグラントには、ＰＳＳＣＨのスケジューリングに対して用いられるＳＣＩフォーマット（例えば、ＳＣＩフォーマット０、または、第２のＳＬグラント）において定義されているいくつかのフィールド（例えば、周波数ホッピングフラグやリソースブロックアサインメント、時間リソースパターン）を含んでもよい。
【００５７】
端末装置、および／または、基地局装置において、端末装置の速度に基づいてサイドリンク物理チャネルのマッピングパターンを変える能力がサポートされている場合には、サイドリンクグラントには、マッピングパターンを指示するフィールドが含まれてもよいし、特定のリソースプールリストおよび／または特定の設定に含まれるリソースプールを指示するフィールドが含まれてもよい。なお、これらのフィールド（これらのフィールドのうち少なくとも１つ）を含むＤＣＩフォーマットは、ＤＣＩフォーマット５Ｂと称されてもよい。
【００５８】
ここで、端末装置は、下りリンクアサインメントを用いてＰＤＳＣＨのリソースがスケジュールされた場合には、スケジューリングに基づき、ＰＤＳＣＨで下りリンクデータ（ＤＬ−ＳＣＨ）を受信してもよい。また、端末装置は、上りリンクグラントを用いてＰＵＳＣＨのリソースがスケジュールされた場合には、スケジューリングに基づき、ＰＵＳＣＨを用いて上りリンクデータ（ＵＬ−ＳＣＨ）および／または上りリンク制御情報（ＵＣＩ）を送信してもよい。また、端末装置は、上りリンクグラントを用いてｓＰＵＳＣＨのリソースがスケジュールされた場合には、スケジューリングに基づき、ｓＰＵＳＣＨで上りリンクデータおよび／または上りリンク制御情報を送信してもよい。
【００５９】
ｓＰＤＳＣＨは、ＰＤＣＣＨおよび／またはＥＰＤＣＣＨで検出した第１のＤＬグラントと、ｓＰＤＣＣＨで検出した第２のＤＬグラントによって、スケジュールされてもよい。第１のＤＬグラントと第２のＤＬグラントは、ともに、特定のＲＮＴＩを用いてスクランブルされてもよい。
【００６０】
ｓＰＤＣＣＨは、ＰＤＣＣＨおよび／またはＥＰＤＣＣＨで検出した第１のＤＬグラントに含まれるＤＣＩに基づいて、ｓＰＤＣＣＨをモニタする領域（つまり、下りリンクのｓＴＴＩバンド）が設定されてもよい。
【００６１】
ｓＰＵＣＣＨは、ｓＰＤＣＣＨで検出した第２のＤＬグラントに含まれるＤＣＩによって、リソースが決定されてもよい。
【００６２】
また、端末装置は、ＰＤＣＣＨ候補、ＥＰＤＣＣＨ候補、および／または、ｓＰＤＣＣＨ候補のセットをモニタしてもよい。以下、ＰＤＣＣＨは、ＥＰＤＤＣＨおよび／またはｓＰＤＣＣＨを含んでもよい。
【００６３】
ここで、ＰＤＣＣＨ候補とは、基地局装置によって、ＰＤＣＣＨが、配置および／または送信される可能性のある候補を示していてもよい。また、モニタとは、モニタされる全てのＤＣＩフォーマットに応じて、ＰＤＣＣＨ候補のセット内のＰＤＣＣＨのそれぞれに対して、端末装置がデコードを試みるという意味が含まれてもよい。
【００６４】
ここで、端末装置が、モニタするＰＤＣＣＨ候補のセットは、サーチスペースとも称される。サーチスペースには、コモンサーチスペース（ＣＳＳ）が含まれてもよい。例えば、ＣＳＳは、複数の端末装置に対して共通なスペースとして定義されてもよい。
【００６５】
また、サーチスペースには、ユーザ装置スペシフィックサーチスペース（ＵＳＳ）が含まれてもよい。例えば、ＵＳＳは、少なくとも、端末装置に対して割り当てられるＣ−ＲＮＴＩに基づいて与えられてもよい。端末装置は、ＣＳＳ、および／または、ＵＳＳにおいて、ＰＤＣＣＨをモニタし、自装置宛てのＰＤＣＣＨを検出してもよい。
【００６６】
また、ＤＣＩの送信（ＰＤＣＣＨでの送信）には、基地局装置が、端末装置に割り当てたＲＮＴＩが利用されてもよい。具体的には、ＤＣＩフォーマット（下りリンク制御情報でもよい）にＣＲＣ（Cyclic Redundancy Check）パリティビットが付加され、付加され
た後に、ＣＲＣパリティビットがＲＮＴＩによってスクランブルされてもよい。ここで、ＤＣＩフォーマットに付加されるＣＲＣパリティビットは、ＤＣＩフォーマットのペイロードから得られてもよい。
【００６７】
ここで、本実施形態において、「ＣＲＣパリティビット」、「ＣＲＣビット」、および、「ＣＲＣ」は同一のであってもよい。また、「ＣＲＣパリティビットが付加されたＤＣＩフォーマットが送信されるＰＤＣＣＨ」、「ＣＲＣパリティビットを含み、且つ、ＤＣＩフォーマットを含むＰＤＣＣＨ」、「ＣＲＣパリティビットを含むＰＤＣＣＨ」、および、「ＤＣＩフォーマットを含むＰＤＣＣＨ」は、同一であってもよい。また、「Ｘを含むＰＤＣＣＨ」、および、「ＸをともなうＰＤＣＣＨ」は、同一であってもよい。端末装置は、ＤＣＩフォーマットをモニタしてもよい。また、端末装置は、ＤＣＩをモニタしてもよい。また、端末装置は、ＰＤＣＣＨをモニタしてもよい。
【００６８】
端末装置は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも称される）。すなわち、端末装置は、ＲＮＴＩによってスクランブルされたＣＲＣを伴うＰＤＣＣＨを検出してもよい。また、端末装置は、ＲＮＴＩによってスクランブルされたＣＲＣパリティビットが付加されたＤＣＩフォーマットを伴うＰＤＣＣＨを検出してもよい。
【００６９】
なお、ＲＮＴＩには、Ｃ−ＲＮＴＩ（Cell-Radio Network Temporary Identifier）が
含まれてもよい。例えば、Ｃ−ＲＮＴＩは、ＲＲＣ接続およびスケジューリングの識別に対して使用される、端末装置に対するユニークな（一意的な）識別子であってもよい。また、Ｃ−ＲＮＴＩは、動的にスケジュールされるユニキャスト送信のために利用されてもよい。
【００７０】
また、ＲＮＴＩには、ＳＰＳ  Ｃ−ＲＮＴＩ（Semi-Persistent Scheduling C-RNTI）
が含まれてもよい。例えば、ＳＰＳ  Ｃ−ＲＮＴＩは、セミパーシステントスケジューリングに対して使用される、端末装置に対するユニークな（一意的な）識別子である。また、ＳＰＳ  Ｃ−ＲＮＴＩは、半持続的（semi-persistently）にスケジュールされるユニ
キャスト送信のために利用されてもよい。ここで、半持続的にスケジュールされる送信とは、周期的にスケジュールされる送信の意味が含まれてもよい。
【００７１】
また、ＲＮＴＩには、ＲＡ−ＲＮＴＩ（Random Access RNTI）が含まれてもよい。例えば、ＲＡ−ＲＮＴＩは、ランダムアクセスレスポンスメッセージの送信に対して使用される識別子であってもよい。すなわち、ＲＡ−ＲＮＴＩは、ランダムアクセスプロシージャにおいて、ランダムアクセスレスポンスメッセージの送信のために利用されてもよい。例
えば、端末装置は、ランダムアクセスプリアンブルを送信した場合において、ＲＡ−ＲＮＴＩによってスクランブルされたＣＲＣを伴うＰＤＣＣＨをモニタしてもよい。また、端末装置は、ＲＡ−ＲＮＴＩによってスクランブルされたＣＲＣを伴うＰＤＣＣＨの検出に基づいて、ＰＤＳＣＨでランダムアクセスレスポンスを受信してもよい。
【００７２】
また、ＲＮＴＩには、ＳＬ−ＲＮＴＩ（Sidelink RNTI）が含まれてもよい。例えば、
ＳＬ−ＲＮＴＩは、ダイナミックにスケジュールされた、つまり、Ｌ１シグナリング（ＰＤＣＣＨ、ＥＰＤＣＣＨ、ｓＰＤＣＣＨ）を用いてスケジュールされたサイドリンク送信に利用されてもよい。例えば、端末装置は、サイドリンク送信を行なう場合において、ＳＬ−ＲＮＴＩによってスクランブルされたＣＲＣを伴うＰＤＣＣＨをモニタしてもよい。
【００７３】
ＳＬ−ＲＮＴＩ（Sidelink RNTI）によってスクランブルされたＣＲＣを伴うＤＣＩフ
ォーマットを受信することが端末装置に設定されたとすれば、端末装置は、Ｃ−ＲＮＴＩによるＣＳＳおよびＵＳＳのＰＤＣＣＨ、および／または、Ｃ−ＲＮＴＩによるＵＳＳのＥＰＤＣＣＨをデコードしてもよい。
【００７４】
ここで、Ｃ−ＲＮＴＩによってスクランブルされたＣＲＣを伴うＰＤＣＣＨは、ＵＳＳまたはＣＳＳにおいて送信されてもよい。また、ＳＰＳ  Ｃ−ＲＮＴＩによってスクランブルされたＣＲＣを伴うＰＤＣＣＨは、ＵＳＳまたはＣＳＳにおいて送信されてもよい。また、ＲＡ−ＲＮＴＩによってスクランブルされたＣＲＣを伴うＰＤＣＣＨは、ＣＳＳのみにおいて送信されてもよい。
【００７５】
ＣＲＣをスクランブルするＲＮＴＩには、ＲＡ−ＲＮＴＩ、Ｃ−ＲＮＴＩ、ＳＰＳ  Ｃ−ＲＮＴＩ、テンポラリーＣ−ＲＮＴＩ、ｅＩＭＴＡ−ＲＮＴＩ、ＴＰＣ−ＰＵＣＣＨ−ＲＮＴＩ、ＴＰＣ−ＰＵＳＣＨ−ＲＮＴＩ、Ｍ−ＲＮＴＩ、Ｐ−ＲＮＴＩ、ＳＩ−ＲＮＴＩ、ＳＬ−ＲＮＴＩがある。
【００７６】
ＲＡ−ＲＮＴＩ、Ｃ−ＲＮＴＩ、ＳＰＳ  Ｃ−ＲＮＴＩ、ｅＩＭＴＡ−ＲＮＴＩ、ＴＰＣ−ＰＵＣＣＨ−ＲＮＴＩ、ＴＰＣ−ＰＵＳＣＨ−ＲＮＴＩは、上位層シグナリングを介して、基地局装置から端末装置に設定される。
【００７７】
Ｍ−ＲＮＴＩ、Ｐ−ＲＮＴＩ、ＳＩ−ＲＮＴＩは１つの値に対応している。例えば、Ｐ−ＲＮＴＩは、ＰＣＨおよびＰＣＣＨに対応し、ページングとシステムインフォメーションの変更を通知するために用いられる。ＳＩ−ＲＮＴＩは、ＤＬ−ＳＣＨ、ＢＣＣＨに対応し、システムインフォメーションの報知に用いられる。ＲＡ−ＲＮＴＩは、ＤＬ−ＳＣＨに対応し、ランダムアクセスレスポンスに用いられる。
【００７８】
ＲＡ−ＲＮＴＩ、Ｃ−ＲＮＴＩ、ＳＰＳ  Ｃ−ＲＮＴＩ、テンポラリーＣ−ＲＮＴＩ、ｅＩＭＴＡ−ＲＮＴＩ、ＴＰＣ−ＰＵＣＣＨ−ＲＮＴＩ、ＴＰＣ−ＰＵＳＣＨ−ＲＮＴＩは、上位層シグナリングを用いて設定される。
【００７９】
Ｍ−ＲＮＴＩ、Ｐ−ＲＮＴＩ、ＳＩ−ＲＮＴＩは所定の値が定義されている。
【００８０】
各ＲＮＴＩによってスクランブルされたＣＲＣを伴うＰＤＣＣＨは、ＲＮＴＩの値によって、対応するトランスポートチャネルや論理チャネルが異なる場合もある。つまり、ＲＮＴＩの値によって、示される情報が異なる場合もある。
【００８１】
１つのＳＩ−ＲＮＴＩは、すべてのＳＩメッセージと同様にＳＩＢ１にアドレスするために用いられる。
【００８２】
ＰＤＳＣＨは、下りリンクデータ（Downlink Shared Channel: DL-SCH）を送信するた
めに用いられる。また、ＰＤＳＣＨは、システムインフォメーションメッセージを送信するために用いられる。ここで、システムインフォメーションブメッセージは、セルスペシフィックな情報であってもよい。また、システムインフォメーションは、ＲＲＣシグナリングに含まれてもよい。また、ＰＤＳＣＨは、ＲＲＣシグナリング、および、ＭＡＣコントロールエレメントを送信するために用いられてもよい。
【００８３】
ＰＭＣＨは、マルチキャストデータ（Multicast Channel: MCH）を送信するために用いられる。
【００８４】
同期信号は、端末装置が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００８５】
下りリンク参照信号は、端末装置が下りリンク物理チャネルの伝搬路補正を行なうために用いられる。ここで、下りリンク参照信号は、端末装置が下りリンクのチャネル状態情報を算出するために用いられる。
【００８６】
ＤＳは、ＤＳに関するパラメータが設定された周波数において、時間周波数同期やセル識別、ＲＲＭ（Radio Resource Management）測定（イントラおよび／またはインター周
波数測定）に用いられる。また、ＤＳは複数の信号から構成され、それらの信号が同じ周期で送信される。ＤＳは、ＰＳＳ／ＳＳＳ／ＣＲＳのリソースを用いて構成され、さらに、ＣＳＩ−ＲＳのリソースを用いて構成されてもよい。ＤＳにおいて、ＣＲＳやＣＳＩ−ＲＳがマップされるリソースを用いて、ＲＳＲＰやＲＳＲＱが測定されてもよい。
【００８７】
ＢＣＨ、ＭＣＨ、ＵＬ−ＳＣＨおよびＤＬ−ＳＣＨは、トランスポートチャネルである。媒体アクセス制御（ＭＡＣ）層で用いられるチャネルをトランスポートチャネルと称する。ＭＡＣ層で用いられるトランスポートチャネルの単位を、トランスポートブロック（ＴＢ）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわ
れる。トランスポートブロックは、ＭＡＣ層が物理層に渡す（deliver）データの単位で
ある。物理層において、トランスポートブロックはコードワードにマップされ、コードワード毎に符号化処理が行なわれる。
【００８８】
ＰＵＣＣＨ、および／または、ｓＰＵＣＣＨは、上りリンク制御情報（ＵＣＩ）を送信（またはフィードバック）するために用いられる。以下、ＰＵＣＣＨは、ｓＰＵＣＣＨを含んでもよい。ここでＵＣＩには、下りリンクのチャネルの状態を示すために用いられるチャネル状態情報（ＣＳＩ）が含まれてもよい。また、ＵＣＩには、ＵＬ−ＳＣＨのリソースを要求するために用いられるスケジューリング要求（ＳＲ）が含まれてもよい。また、ＵＣＩには、ＨＡＲＱ−ＡＣＫ（Hybrid Automatic Repeat request ACKnowledgement
）が含まれてもよい。
【００８９】
ここで、ＨＡＲＱ−ＡＣＫは、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫを示してもよい。すなわち、ＨＡＲＱ−ＡＣＫは、下りリンクデータに対するＡＣＫ（Acknowledgement, positive-acknowledgment）またはＮＡＣＫ（Negative-acknowledgement）を示してもよい。また、ＣＳＩは、チャネル品質インディケータ（ＣＱＩ）、プレコーディングマトリックスインディケータ（ＰＭＩ）、および／または、ランクインディケーション（ＲＩ）で構成されて
もよい。ＨＡＲＱ−ＡＣＫは、ＨＡＲＱ−ＡＣＫ応答と称されてもよい。
【００９０】
ＰＵＣＣＨ、および／または、ｓＰＵＣＣＨは、送信（報告）するＵＣＩの種類や組み合わせに応じてフォーマットが規定されてもよい。以降では、ＰＵＣＣＨには、ｓＰＵＣＣＨが含まれてもよい。
【００９１】
例えば、ポジティブＳＲを送信するためのＰＵＣＣＨフォーマットが規定されてもよい。
【００９２】
例えば、ポジティブＳＲ、および／または、ＨＡＲＱ−ＡＣＫを送信するためのＰＵＣＣＨフォーマットが規定されてもよい。
【００９３】
例えば、１ビット以上のＨＡＲＱ−ＡＣＫを送信するためのＰＵＣＣＨフォーマットが規定されてもよい。
【００９４】
例えば、１つ以上のサービングセルに対するＣＳＩを送信するためのＰＵＣＣＨフォーマットが規定されてもよい。サービングセルの数に応じて、ＰＵＣＣＨフォーマットが異なってもよい。
【００９５】
例えば、ＨＡＲＱ−ＡＣＫ、および／または、ＣＳＩを送信するためのＰＵＣＣＨフォーマットが規定されてもよい。
【００９６】
ＰＵＣＣＨフォーマットの種類に応じて、１サブフレーム内、および／または、１ＴＴＩ内で、ＰＵＣＣＨに割り当てられるシンボルの数やリソースエレメント（リソースブロック）の数が異なってもよい。
【００９７】
ＰＵＣＣＨフォーマット毎に、サイクリックシフトの値が設定されてもよい。
【００９８】
ＰＵＳＣＨ、および／または、ｓＰＵＳＣＨは、上りリンクデータ（Uplink-Shared Channel: UL-SCH）を送信するために用いられる。以下、ＰＵＳＣＨは、ｓＰＵＳＣＨを含
んでもよい。また、ＰＵＳＣＨは、上りリンクデータと共にＨＡＲＱ−ＡＣＫおよび／またはＣＳＩを送信するために用いられてもよい。また、ＰＵＳＣＨは、ＣＳＩのみ、または、ＨＡＲＱ−ＡＣＫおよびＣＳＩのみを送信するために用いられてもよい。すなわち、ＰＵＳＣＨは、ＵＣＩのみを送信するために用いられてもよい。
【００９９】
ここで、基地局装置と端末装置は、上位層（higher layer）において信号をやり取り（送受信）してもよい。例えば、基地局装置と端末装置は、無線リソース制御（Radio Resource Control : RRC）層において、ＲＲＣシグナリング（RRC message、RRC informationとも称される）を送受信してもよい。また、基地局装置と端末装置は、ＭＡＣ（Medium Access Control）層において、ＭＡＣコントロールエレメントをやり取り（送受信）して
もよい。ここで、ＲＲＣシグナリング、および／または、ＭＡＣコントロールエレメントを、上位層の信号（higher layer signaling）とも称する。
【０１００】
本実施形態において、“ＯＦＤＭシンボルおよび／またはＳＣ−ＦＤＭＡシンボルにＣＰが付加される”とは、“ＯＦＤＭシンボルおよび／またはＳＣ−ＦＤＭＡシンボルで送信される物理チャネルの系列にＣＰの系列が付加される”と同義であってもよい。
【０１０１】
本実施形態において、「上位層のパラメータ」、「上位層のメッセージ」、「上位層の信号」、「上位層の情報」、および、「上位層の情報要素」は、同一のものであってもよい。
【０１０２】
また、ＰＵＳＣＨは、ＲＲＣシグナリング、および、ＭＡＣコントロールエレメント（ＭＡＣ  ＣＥ）を送信するために用いられてもよい。ここで、基地局装置から送信されるＲＲＣシグナリングは、セル内における複数の端末装置に対して共通のシグナリングであってもよい。また、基地局装置から送信されるＲＲＣシグナリングは、ある端末装置に対して専用のシグナリング（dedicated signalingとも称する）であってもよい。すなわち
、ユーザ装置スペシフィックな情報は、ある端末装置に対して専用のシグナリングを用いて送信されてもよい。
【０１０３】
ＰＲＡＣＨ、および／または、ｓＰＲＡＣＨは、ランダムアクセスプリアンブルを送信するために用いられる。以下、ＰＲＡＣＨは、ｓＰＲＡＣＨを含んでもよい。例えば、ＰＲＡＣＨ（または、ランダムアクセスプロシージャ）は、端末装置が、基地局装置と時間領域の同期を取ることを主な目的として用いられる。また、ＰＲＡＣＨ（または、ランダムアクセスプロシージャ）は、初期コネクション確立（initial connection establishment）プロシージャ、ハンドオーバプロシージャ、コネクション再確立（connection re-establishment）プロシージャ、上りリンク送信に対する同期（タイミング調整）、および
、スケジューリング要求（ＰＵＳＣＨリソースの要求、ＵＬ−ＳＣＨリソースの要求）の送信のためにも用いられてもよい。
【０１０４】
ＤＭＲＳは、ＰＵＳＣＨ、ｓＰＵＳＣＨ、および／または、ＰＵＣＣＨの送信に関連する。すなわち、ＤＭＲＳは、ＰＵＳＣＨ、ｓＰＵＳＣＨ、または、ＰＵＣＣＨと時間多重されてもよい。例えば、基地局装置は、ＰＵＳＣＨ、ｓＰＵＳＣＨ、または、ＰＵＣＣＨの伝搬路補正を行なうためにＤＭＲＳを使用してもよい。ＤＭＲＳは、復調する物理チャネルの種類に応じて、時間多重の配置や多重するＤＭＲＳの数が異なってもよい。
【０１０５】
ＳＲＳは、ＰＵＳＣＨまたはＰＵＣＣＨの送信に関連しない。例えば、基地局装置は、上りリンクのチャネル状態または送信タイミングを測定するためにＳＲＳを使用してもよい。ＳＲＳには、上位層の信号によって関連するパラメータが設定された場合に送信するトリガタイプ０ＳＲＳと、上位層の信号によって関連するパラメータが設定され、且つ、上りリンクグラントに含まれるＳＲＳリクエストによって送信が要求された場合に送信するトリガタイプ１ＳＲＳがある。
【０１０６】
次に、本実施形態に係るサイドリンク送信およびサイドリンク受信について説明する。サイドリンク受信については、サイドリンク送信と逆の手順を行なえば実現できるため、詳細な説明は省略する。サイドリンク送信は、サイドリンクにおける送信である。サイドリンク受信は、サイドリンクにおける受信である。サイドリンクは、端末装置間のリンク（インタフェース）である。
【０１０７】
サイドリンク送信は、端末装置間（例えば、第１の端末装置と第２の端末装置の間）のサイドリンク発見とサイドリンク通信に対して定義されてもよい。すなわち、サイドリンク送信は、サイドリンク発見およびサイドリンク通信のうち、少なくとも１つを含んでもよい。サイドリンク送信は、端末装置（サイドリンク送信を行なうことができる端末装置）がネットワークのカバレッジ内にいる時は、上りリンクと下りリンクに対して定義されたフレーム構造と同じフレーム構造を用いる。しかしながら、サイドリンク送信は、時間領域と周波数領域において、上りリンクリソースのサブセットに制限される。つまり、サイドリンク送信は、上りリンク送信に対するリソースを用いて行なわれる。なお、サイドリンク送信が可能な端末装置がネットワークのカバレッジ内にいることをインカバレッジと称する。サイドリンク送信が可能な端末装置がネットワークのカバレッジ内にいないことをアウトオブカバレッジと称する。例えば、端末装置がネットワーク（セル）を検出できた場合、端末装置は自身がインカバレッジであると判断してもよい。例えば、端末装置
がネットワーク（セル）を検出できない場合、端末装置は自身がアウトオブカバレッジであると判断してもよい。なお、サイドリンク送信は、サイドリンクと称されてもよい。
【０１０８】
サイドリンク送信は、上りリンク送信と同じ送信スキームを用いてもよい。サイドリンクにおいて、全てのサイドリンク物理チャネルの送信は、１つのクラスタ送信に制限されてもよい。サイドリンク送信において、各サイドリンクサブフレームの終端（つまり、最後尾のシンボル）において、１シンボルギャップが用いられてもよい。各サイドリンクサブフレームの最後尾のシンボルは、サイドリンク送信のために用いられない。
【０１０９】
端末装置と他の端末装置間のサイドリンクの無線通信では、以下のサイドリンク物理チャネルが用いられてもよい。ここで、サイドリンク物理チャネルは、上位層から出力された情報を送信するために用いられる。
・ＰＳＳＣＨ（Physical Sidelink Shared Channel）
・ＰＳＣＣＨ（Physical Sidelink Control Channel）
・ＰＳＤＣＨ（Physical Sidelink Discovery Channel）
・ＰＳＢＣＨ（Physical Sidelink Broadcast Channel）
【０１１０】
端末装置と他の端末装置間のサイドリンクの無線通信では、以下のサイドリンク物理信号が用いられてもよい。ここで、サイドリンク物理信号は、上位層から出力された情報を送信しない。
・同期信号
・ＤＭＲＳ（Demodulation Reference Signal）
【０１１１】
ここで、サイドリンク物理チャネルおよびサイドリンク物理信号を総称して、サイドリンク信号とも称する。
【０１１２】
上述した、サイドリンクに対する物理チャネルおよび／または物理信号の設定に用いられるパラメータは、物理層の信号（例えば、ＰＤＣＣＨ、ＰＳＣＣＨ、ＰＳＢＣＨ）、および／または、上位層の信号（例えば、ＲＲＣシグナリング、ＭＡＣ  ＣＥ、システムインフォメーション）を介して、基地局装置および／または端末装置から他の端末装置へ通知され、設定されてもよい。
【０１１３】
サブフレーム内の最後尾のＳＣ−ＦＤＭＡシンボルの中にあるリソースエレメントは、ＰＳＳＣＨ、ＰＳＣＣＨ、ＰＳＤＣＨ、ＰＳＢＣＨのそれぞれに対するマッピング処理においてカウントされる。しかし、ＰＳＳＣＨ、ＰＳＣＣＨ、ＰＳＤＣＨ、ＰＳＢＣＨは送信されない。
【０１１４】
ＰＳＳＣＨは、サイドリンク通信に対する端末装置からのデータ（データ情報、ＳＬ−ＳＣＨ（Sidelink Shared Channel））を伝送するために用いられる。
【０１１５】
ＰＳＣＣＨは、サイドリンク通信に対する端末装置からの制御（制御情報、ＳＣＩ）を伝送するために用いられる。ＰＳＣＣＨは、ＰＳＳＣＨに対して端末装置によって用いられたリソースとＰＳＳＣＨに対する他の送信パラメータを指示するために用いられる。ＰＳＣＣＨは、サイドリンク制御リソースにマップされる。
【０１１６】
ＳＣＩは、１つのＤＳＴ−ＩＤ（Destination ID）に対するサイドリンクスケジューリング情報をトランスポートするために用いられる。ＳＣＩに対するフィールドは、ＳＣＩフォーマットにおいて定義される。ＳＣＩは、所定の情報ビットへマップされる。
【０１１７】
ＳＣＩフォーマット０は、ＰＳＳＣＨのスケジューリングに対して用いられる。ＳＣＩ
フォーマット０を用いることによって、周波数ホッピング、リソースブロックアサインメントおよびホッピングリソース配置、時間リソースパターン、ＭＣＳ（Modulation and Coding Scheme）、ＴＡＩ（Timing Advance Indication）、Ｇ−ＤＳＴ−ＩＤ（Group Destination ID）は送信される。
【０１１８】
端末装置の速度に基づいてリソースプール内のマッピングパターンを変える能力が端末装置によってサポートされている場合には、ＳＣＩフォーマットには、マッピングパターンを指示するフィールドが含まれてもよい。このフィールドが含まれるＳＣＩフォーマットは、ＳＣＩフォーマット０Ｂと称されてもよい。
【０１１９】
ＳＣＩフォーマット０Ｂ、および／または、ＤＣＩフォーマット５Ｂは、車載用の端末装置に対して設定されるＲＮＴＩによってスクランブルされたＣＲＣを伴ってもよい。
【０１２０】
端末装置、他の端末装置、および／または、基地局装置において、端末装置の速度に基づいてリソースプール内のマッピングパターンを変える能力がサポートされている場合に、ＤＣＩフォーマット５（５Ｂ）および／またはＳＣＩフォーマット０（０Ｂ）に含まれるマッピングパターンを指示するフィールドによって指示されるマッピングパターンは、リソースプールに関する設定が含まれる、システムインフォメーション、および／または、上位層シグナリングに対応してもよい。例えば、マッピングパターンを指示するフィールドは、歩行者用のサイドリンク送信および受信に対するシステムインフォメーションに対するリソースプールと、車載用のサイドリンク送信および受信に対するシステムインフォメーションに対するリソースプールを切り替えるフィールドであってもよい。
【０１２１】
サイドリンク送信モード１に対して、ＰＳＣＣＨでＳＣＩフォーマット０の検出を行なう端末装置は、検出されたＳＣＩフォーマット０に対応するＰＳＳＣＨをデコードすることができる。サイドリンク送信モード１の端末装置は、ＰＳＣＣＨ、および／または、ＰＳＳＣＨのスケジューリングのために用いられるＤＣＩフォーマット（例えば、ＤＣＩフォーマット５、または、第１のＳＬグラント）に基づいて、ＰＳＣＣＨ、および／または、ＰＳＳＣＨの送信処理を行ってもよい。ここで、ＰＳＣＣＨ、および／または、ＰＳＳＣＨの送信処理は、ＰＳＣＣＨ、および／または、ＰＳＳＣＨのマッピング処理、および、リソース（リソースプール）の選択を含んでもよい。
【０１２２】
サイドリンク送信モード２に対して、ＰＳＣＣＨでＳＣＩフォーマット０の検出を行なう端末装置は、上位層によって設定された関連するＰＳＳＣＨリソース設定、および、検出されたＳＣＩフォーマット０に対応するＰＳＳＣＨをデコードすることができる。サイドリンク送信モード２の端末装置は、ＰＳＣＣＨ、および／または、ＰＳＳＣＨのスケジューリングのために用いられるＤＣＩフォーマット（例えば、ＤＣＩフォーマット５、または、第１のＳＬグラント）とは関係なく、ＰＳＣＣＨ、および／または、ＰＳＳＣＨの送信処理を行ってもよい。ここで、ＰＳＣＣＨ、および／または、ＰＳＳＣＨの送信処理は、ＰＳＣＣＨ、および／または、ＰＳＳＣＨのマッピング処理、および、リソース（リソースプール）の選択を含んでもよい。
【０１２３】
ＰＳＤＣＨは、端末装置からのサイドリンク発見メッセージを伝送するために用いられる。
【０１２４】
ＰＳＢＣＨは、端末装置から送信されたシステムおよび同期に関する情報を伝送するために用いられる。ＰＳＢＣＨは、ＰＳＢＣＨを送信している端末装置の速度に関する情報を含んでもよい。
【０１２５】
なお、ＰＳＳＣＨ、ＰＳＣＣＨ、ＰＳＤＣＨ、ＰＳＢＣＨのそれぞれに対して、ｓＴＴ
Ｉを用いた送信および／または受信が適用（サポート）される場合、ｓＴＴＩに対する、ＰＳＳＣＨ、ＰＳＣＣＨ、ＰＳＤＣＨ、ＰＳＢＣＨはそれぞれ、ｓＰＳＳＣＨ、ｓＰＳＣＣＨ、ｓＰＳＤＣＨ、ｓＰＳＢＣＨと称されてもよい。以降では、ＰＳＳＣＨ、ＰＳＣＣＨ、ＰＳＤＣＨ、ＰＳＢＣＨはそれぞれ、ｓＰＳＳＣＨ、ｓＰＳＣＣＨ、ｓＰＳＤＣＨ、ｓＰＳＢＣＨを含んでもよい。
【０１２６】
サイドリンクにおいて、同期信号は、ＰＳＳＳ（Primary Sidelink Synchronization Signal）とＳＳＳＳ（Secondary Sidelink Synchronization Signal）がある。ＰＳＳＳとＳＳＳＳを検出することによって、ＳＬ−ＩＤが示されてもよい。
【０１２７】
ＰＳＳＳは、同じサブフレームの２つの隣接するＳＣ−ＦＤＭＡシンボルで送信されてもよい。
【０１２８】
２つのＳＣ−ＦＤＭＡシンボルにおけるＰＳＳＳに対して用いられる２つの系列のそれぞれは、あるルートインデックスによって与えられてもよい。サイドリンクＩＤ（ＳＬ−ＩＤ）が１６７以下であれば、ルートインデックスは２６であり、そうでなければ、ルートインデックスは３７である。
【０１２９】
ＰＳＳＳに対する系列は、あるサブフレームの第１のスロットのアンテナポート１０２０におけるリソースエレメントにマップされる。また、ＰＳＳＳに対する系列は、ＮＣＰの場合、あるサブフレームの第１のスロットのシンボル１とシンボル２（スロット内の２番目のシンボルと３番目のシンボル）にマップされ、ＥＣＰの場合、あるサブフレームの第１のスロットのシンボル０とシンボル１（スロット内の１番目のシンボルと２番目のシンボル）にマップされる。
【０１３０】
ＳＳＳＳは、同じサブフレームの２つの隣接するＳＣ−ＦＤＭＡシンボルで送信される。
【０１３１】
ＳＳＳＳに対して用いられる２つの系列のそれぞれは、第１のＩＤ（ｎ（１）ＩＤ）と第２のＩＤ（ｎ（２）ＩＤ）と、サブフレーム０を想定して与えられる。第１のＩＤは、ＳＬ−ＩＤを１６８で割った余りによって与えられる。第２のＩＤは、ＳＬ−ＩＤ／１６８の床関数（ＳＬ−ＩＤを１６８で割った解に対して床関数を適用すること）によって与えられる。
【０１３２】
ＳＳＳＳに対する系列は、あるサブフレームの第２のスロットのアンテナポート１０２０におけるリソースエレメントにマップされる。また、ＳＳＳＳに対する系列は、ＮＣＰの場合、あるサブフレームの第２のスロットのシンボル４とシンボル５にマップされ、ＥＣＰの場合、あるサブフレームの第２のスロットのシンボル３とシンボル４にマップされる。
【０１３３】
サイドリンク同期信号（つまり、ＰＳＳＳおよびＳＳＳＳ）は、サイドリンク送信をサポートしている端末装置および／または基地局装置によって送信されてもよい。端末装置は、他の端末装置および／または基地局装置から送信されたと仮定して受信してもよい。
【０１３４】
端末装置は、他の端末装置によって送信されたサイドリンク同期信号のＣＰ長をブラインドに検出することが期待されない。
【０１３５】
サイドリンク同期信号は、ＰＳＢＣＨと同じサブフレームおよび／またはＴＴＩで送信される。
【０１３６】
インカバレッジの端末装置は、セルのセルＩＤと同じ値のＳＬ−ＩＤに対応するＰＳＳＳ／ＳＳＳＳを送信してもよい。アウトオブカバレッジの端末装置は、セルのセルＩＤとは異なる値のＳＬ−ＩＤに対応するＰＳＳＳ／ＳＳＳＳを送信してもよい。セルのセルＩＤとは異なる値のＳＬ−ＩＤは、仕様書などによって予め定義されている既知の値であってもよい。
【０１３７】
端末装置は、端末装置の速度に基づいて、ＳＬ−ＩＤを決定してもよい。端末装置は、端末装置の速度に基づいて、ＰＳＳＳ／ＳＳＳＳのマッピング処理方法を決定してもよい。端末装置は、端末装置の速度に基づいて、ＰＳＳＳ／ＳＳＳＳをマッピングするシンボルのインデックス、および、シンボル数を決定してもよい。
【０１３８】
本実施形態において、「ＴＴＩ」は、ｓＴＴＩを含んでもよい。つまり、本実施形態において、「ＴＴＩ」は、少なくとも１つのＴＴＩ長を含んでもよい。例えば、「ＴＴＩ」は、２シンボルで構成されるＴＴＩを含んでもよいし、１４シンボルで構成されるＴＴＩを含んでもよいし、また、これ以外の長さのＴＴＩを含んでもよい。
【０１３９】
サイドリンクにおけるＤＭＲＳ（Ｓ−ＤＭＲＳ）は、ＰＳＤＣＨ、ＰＳＣＣＨ、ＰＳＳＣＨを復調するために用いられる。Ｓ−ＤＭＲＳは、上りリンク参照信号の１つであるＤＭＲＳと類似している。Ｓ−ＤＭＲＳは、ＮＣＰの場合、スロット内の４番目のシンボルで送信され、ＥＣＰの場合、スロット内の３番目のシンボルで送信される。Ｓ−ＤＭＲＳに対する系列長は、割り当てられたリソースのサイズ（つまり、サブキャリアの数）と同じである。
【０１４０】
ＰＳＤＣＨ／ＰＳＣＣＨ／ＰＳＳＣＨ／ＰＳＢＣＨ送信に対する、マッピングプロセスに用いられる物理リソースブロックのセットは、ＰＵＳＣＨに対する、マッピング処理に用いられる物理リソースブロックのセットと同じ定義である。つまり、ＰＳＤＣＨ／ＰＳＣＣＨ／ＰＳＳＣＨ／ＰＳＢＣＨ送信に対するマッピングは、図２のＰＵＳＣＨ領域のマッピング、および／または、ＰＵＣＣＨ領域がないマッピングと同じマッピングになってもよい。
【０１４１】
ＰＳＤＣＨ／ＰＳＣＣＨ／ＰＳＳＣＨ／ＰＳＢＣＨ送信に対するＳ−ＤＭＲＳの、マッピング処理におけるインデックスｋ（周波数方向のインデックス）は、ＰＵＳＣＨに対するＤＭＲＳの、マッピング処理におけるインデックスｋと同じ定義である。
【０１４２】
擬似ランダム系列ジェネレータは、ＰＳＳＣＨのスロット番号が０を満たす各スロットのはじめに初期化される。
【０１４３】
ＰＳＤＣＨおよびＰＳＣＣＨに対して、Ｓ−ＤＭＲＳは、固定の、基準系列、サイクリックシフト、および、直交カバー符号（ＯＣＣ）に基づいて生成される。
【０１４４】
インカバレッジオペレーションに対して、サイドリンク送信の電力スペクトル密度は、基地局装置によって設定されてもよい。つまり、インカバレッジオペレーションにおいて、基地局装置は、サイドリンク送信をサポートしている端末装置に対して、サイドリンク送信に係る電力制御パラメータを設定し、上位層シグナリングを介して送信してもよい。
【０１４５】
サイドリンクにおける測定に対して、Ｓ−ＲＳＲＰ（Sidelink Reference Signal Received Power）、および／または、ＳＤ−ＲＳＲＰ（Sidelink Discovery RSRP）が端末装
置側の測定量としてサポートされてもよい。
【０１４６】
Ｓ−ＲＳＲＰは、適用可能なサブフレームの中心の６ＰＲＢ内の、ＰＳＢＣＨに関連す
るＤＭＲＳを伝送するリソースエレメントの電力値（[W]で表現されるPower Contribution）におけるリニア平均（またはリニア平均値）として定義される。つまり、Ｓ−ＲＳＲ
Ｐは、ＰＳＢＣＨに関連するＤＭＲＳの平均受信電力であってもよい。
【０１４７】
ＳＤ−ＲＳＲＰは、ＣＲＣが有効な、ＰＳＤＣＨに関連するＤＭＲＳを伝送するリソースエレメントの電力値（[W]で表現されるPower Contribution）におけるリニア平均（ま
たはリニア平均値）として定義される。つまり、ＳＤ−ＲＳＲＰは、ＰＳＤＣＨに関連するＤＭＲＳの平均受信電力であってもよい。
【０１４８】
サイドリンク通信、および、サイドリンク発見のそれぞれに対して、リソースプールリストが設定され、端末装置は、対応するリソースプールリストの中から、リソースプール（つまり、リソースプールに関する設定）を選択し、送信する。
【０１４９】
サイドリンク通信に対応するＳＩＢ（例えば、ＳＩＢ１８（System Information Block
Type 18））には、サイドリンク通信に関する設定が含まれてもよい。
【０１５０】
ＳＩＢ１８は、サイドリンク同期信号およびＳＢＣＣＨ送信に対するリソース情報を提供する。
【０１５１】
サイドリンク通信に関する設定には、サイドリンク通信に対する、受信に用いられるリソースプールリスト、通常の条件における送信に用いられるリソースプールリスト、例外条件における送信に用いられるリソースプールリスト、同期に関する設定が含まれてもよい。
【０１５２】
サイドリンク発見に対応するＳＩＢ（例えば、ＳＩＢ１９（System Information Block
Type 19））には、サイドリンク発見に関する設定が含まれてもよい。
【０１５３】
サイドリンク発見に関する設定には、サイドリンク発見に対する、受信に用いられるリソースプールリスト、送信に用いられるリソースプールリスト、送信電力に関する情報、同期に関する設定が含まれてもよい。
【０１５４】
リソースプールリストには、１つ以上のリソースプールに関する設定が含まれてもよい。
【０１５５】
リソースプールに関する設定には、ＣＰ長、サイドリンクに対してリソースが配置される周期、時間周波数リソースに関する設定、データに対するＣＰ長、データに対するホッピング設定、端末装置が選択したリソース設定、受信に用いられるパラメータが含まれてもよい。
【０１５６】
時間周波数リソースに関する設定には、物理リソースブロック（ＰＲＢ）の数、ＰＲＢのスタートインデックス、ＰＲＢのエンドインデックス、オフセットインディケータ、サブフレームビットマップが含まれてもよい。
【０１５７】
同期に関する設定には、サイドリンク同期信号に用いられるＣＰ長、サイドリンク同期信号ＩＤ、送信に用いられるパラメータ、受信に用いられるパラメータが含まれてもよい。なお、送信に用いられるパラメータは、送信電力をセットするために用いられるパラメータであってもよい。受信に用いられるパラメータは、受信ウインドウを示すパラメータであってもよい。
【０１５８】
また、サイドリンク通信に関する設定および／またはサイドリンク発見に関する設定は
、上位層シグナリングを介して、送信され、サイドリンク通信および／またはサイドリンク発見をサポートしている端末装置に設定されてもよい。サイドリンク通信に関する設定には、サイドリンク通信に対応するＳＩＢに含まれる設定と、同様の内容の設定が含まれてもよい。サイドリンク発見に関する設定には、サイドリンク発見に対応するＳＩＢに含まれる設定と、同様の内容の設定が含まれてもよい。
【０１５９】
端末装置がアウトオブカバレッジである場合には、端末装置に予め設定されたパラメータを用いてサイドリンク送信を行なってもよい。また、端末装置がインカバレッジである場合には、ＳＩＢや上位層シグナリングを介して設定されたパラメータを用いてサイドリンク送信を行なってもよい。
【０１６０】
アウトオブカバレッジオペレーションに対して同期を行なうために、端末装置は、ＳＢＣＣＨ（Sidelink Broadcast Control Channel）を含むＰＳＢＣＨおよびサイドリンク同期信号を送信することによって、同期ソースとして行動する。ＳＢＣＣＨは、他のサイドリンクチャネルと信号を受信するために必要なシステムインフォメーションを伝送する。サイドリンク同期信号を伴うＳＢＣＣＨは、４０ｍｓの固定の周期で送信される。ＳＢＣＣＨは論理チャネルである。なお、「ＳＢＣＣＨを送信する」とは、「ＳＢＣＣＨを含むＰＳＢＣＨを送信する」と同義であってもよい。
【０１６１】
アウトオブカバレッジオペレーションに対して４０ｍｓ毎の２つの予め設定されたサブフレームがある。端末装置は、あるサブフレームにおいてサイドリンク同期信号およびＳＢＣＣＨを受信する。端末装置が同期ソースになるとすれば、端末装置は、他のサブフレームにおいてサイドリンク同期信号およびＳＢＣＣＨを送信する。
【０１６２】
端末装置は、１つのサブフレームでサイドリンク同期信号とＳＢＣＣＨ（ＳＢＣＣＨを含むＰＳＢＣＨ）を受信する。
【０１６３】
端末装置がネットワークのカバレッジ内にいる時は、ネットワークのカバレッジ内にいる端末装置が送信するＳＢＣＣＨのコンテンツは、基地局装置によってシグナルされたパラメータから取得されてもよい。端末装置がアウトオブカバレッジであり、同期ソースとして他の端末装置を選択する時は、アウトオブカバレッジの端末装置が送信するＳＢＣＣＨのコンテンツは、他の端末装置から受信したＳＢＣＣＨから取得されてもよい。さもなければ（端末装置がアウトオブカバレッジであり、同期ソースとして他の端末装置を選択しない時は）、アウトオブカバレッジの端末装置が送信するＳＢＣＣＨのコンテンツは、端末装置は予め設定されたパラメータに基づいて与えられる。
【０１６４】
端末装置は、サイドリンク制御周期の期間において定義されたサブフレームでサイドリンク通信を行なう。サイドリンク制御周期は、サイドリンク制御情報（つまり、サイドリンク制御情報を含むＰＳＣＣＨ）およびサイドリンクデータ送信（つまり、サイドリンクデータを含むＰＳＳＣＨ）に対するセルにおいて配置されたリソースが生じる周期である。サイドリンク制御周期内で、端末装置は、サイドリンクデータに続いてサイドリンク制御情報を送信する。サイドリンク制御情報は、Ｌ１−ＩＤおよび送信の特性（例えば、ＭＣＳ、サイドリンク制御周期内のリソース配置、タイミング調整）を示す。なお、Ｌ１−ＩＤは、ＤＳＴ−ＩＤまたはＧ−ＤＳＴ−ＩＤであってもよい。
【０１６５】
端末装置は、ＰＳＳＣＨに対する１つ以上のリソース設定が上位層によって設定されてもよい。ＰＳＳＣＨに対するリソース設定は、ＰＳＳＣＨの受信、または、ＰＳＳＣＨの送信に対して用いられてもよい。
【０１６６】
なお、リソース設定は、リソースプールに関する設定と称されてもよい。
【０１６７】
端末装置は、１つ以上のＰＳＣＣＨに対するリソース設定が上位層によって設定されてもよい。ＰＳＣＣＨに対するリソース設定は、ＰＳＣＣＨの受信、または、ＰＳＣＣＨの送信に対して用いられてもよい。また、ＰＳＣＣＨに対するリソース設定は、サイドリンク送信モード１またはサイドリンク送信モード２のいずれかに関連してもよい。
【０１６８】
サイドリンク送信モード１に対して、ＰＳＣＣＨにおいてＳＣＩフォーマット０を検出する端末装置は、検出したＳＣＩフォーマット０に応じたＰＳＳＣＨをデコードしてもよい。
【０１６９】
サイドリンク送信モード２に対して、ＰＳＣＣＨにおいてＳＣＩフォーマット０を検出する端末装置は、検出したＳＣＩフォーマット０、および、上位層によって設定された関連したＰＳＳＣＨに対するリソース設定に応じたＰＳＳＣＨをデコードしてもよい。
【０１７０】
サイドリンク送信モード１、および／または、サイドリンク送信モード２に関連したＰＳＣＣＨに対する各リソース設定に対して、ＰＳＣＣＨにおいてＳＣＩフォーマット０を検出することを上位層によって設定された端末装置は、上位層によって示されたＧ−ＤＳＴ−ＩＤを用いて、ＰＳＣＣＨに対するリソース設定に応じたＰＳＳＣＨのデコードを試みてもよい。
【０１７１】
端末装置は、１つ以上のＰＳＤＣＨに対するリソース設定が上位層によって設定されてもよい。ＰＳＤＣＨに対するリソース設定は、ＰＳＤＣＨの受信、または、ＰＳＤＣＨの送信に対して用いられてもよい。また、ＰＳＣＣＨに対するリソース設定に対応するＰＤＳＣＨの送信は、サイドリンク発見タイプ１またはサイドリンク発見タイプ２Ｂのいずれかに関連してもよい。
【０１７２】
サイドリンク発見タイプ１、および／または、サイドリンク発見タイプ２Ｂに対しては、ＰＳＤＣＨの受信に関連したＰＳＤＣＨに対する各リソース設定に対して、ＰＳＤＣＨにおけるトランスポートブロックを検出することを上位層によって設定された端末装置は、ＰＳＤＣＨに対するリソース設定に応じてＰＳＤＣＨをデコードしてもよい。
【０１７３】
ＳＳＳＳ送信の場合を除いて、サイドリンク送信電力は、サイドリンクサブフレーム内で変化しない。同じサブフレームで送信される、サイドリンク物理チャネルおよび関連するＤＭＲＳの送信電力が同じである。また、同じサブフレームで送信される、ＰＳＳＳおよびＰＳＢＣＨの送信電力は同じである。
【０１７４】
端末装置は、特定のサブフレームにおいて、ＰＳＣＣＨに対するリソース設定によって示されたリソースブロックプール内のリソースブロックの数が５０を超えるようなＰＳＣＣＨに対するリソース設定を期待しない。
【０１７５】
ＬＴＥの時間単位Ｔｓは、サブキャリア間隔（例えば、１５ｋＨｚ）とＦＦＴサイズ（例えば、２０４８）に基づいている。つまり、Ｔｓは、１／（１５０００×２０４８）秒である。１スロットの時間長は、１５３６０・Ｔｓ（つまり、０．５ｍｓ）である。１サブフレームの時間長は、３０７２０・Ｔｓ（つまり、１ｍｓ）である。１無線フレームの時間長は、３０７２００・Ｔｓ（つまり、１０ｍｓ）である。
【０１７６】
物理チャネルまたは物理信号のスケジューリングについて無線フレームを用いて管理している。１つの無線フレームの時間長は１０ミリ秒（ｍｓ）であってもよい。１つの無線フレームは１０サブフレームで構成されてもよい。さらに、１サブフレームは２つのスロットで構成されてもよい。すなわち、１つのサブフレームの時間長は１ｍｓ、１つのスロ
ットの時間長は０．５ｍｓであってもよい。また、物理チャネルが配置されるスケジューリングの最小単位としてリソースブロックを用いて管理してもよい。リソースブロックとは、周波数軸を複数サブキャリア（例えば、１２サブキャリア）の集合で構成される一定の周波数領域と、一定の送信時間間隔（ＴＴＩ、スロット、シンボル）で構成される領域（時間領域）で定義されてもよい。なお、１サブフレームは、１リソースブロックペアと称されてもよい。
【０１７７】
また、１つのＴＴＩは１つのサブフレームまたは１つのサブフレームを構成するシンボルの数として規定されてもよい。例えば、ＮＣＰ（Normal Cyclic Prefix）の場合、１つのＴＴＩは、１４シンボルで構成されてもよい。また、ＥＣＰ（Extended CP）の場合、
１つのＴＴＩは、１２シンボルで構成されてもよい。なお、ＴＴＩは、受信側では受信時間間隔として規定されてもよい。ＴＴＩは、物理チャネルや物理信号の送信単位または受信単位として定義されてもよい。つまり、物理チャネルや物理信号の時間長は、ＴＴＩの長さに基づいて規定されてもよい。なお、シンボルは、ＳＣ−ＦＤＭＡシンボルおよび／またはＯＦＤＭシンボルが含まれてもよい。また、ＴＴＩの長さ（ＴＴＩ長）は、シンボルの数で表現されてもよい。また、ＴＴＩ長は、ミリ秒（ｍｓ）やマイクロ秒（μｓ）のような時間長で表現されてもよい。
【０１７８】
各シンボルには、物理チャネルおよび／または物理信号に係る系列がマップされる。系列の検出精度を高めるために、ＣＰが物理チャネルおよび／または物理信号に係る系列に付加される。ＣＰには、ＮＣＰとＥＣＰがあり、ＥＣＰの方がＮＣＰに比べ、付加する系列長が長い。なお、ＣＰに係る系列長は、ＣＰ長と称されてもよい。
【０１７９】
端末装置および基地局装置が、ＬＲ（Latency Reduction）に関連する機能をサポート
している場合、１つのＴＴＩはＮＣＰで１４シンボル（ＥＣＰで１２シンボル）より少ない数で構成されてもよい。例えば、１つのＴＴＩのＴＴＩ長は、２、３、７のいずれかのシンボル数で構成されてもよい。ＮＣＰで１４シンボル（ＥＣＰで１２シンボル）よりも少ないシンボル数で構成されるＴＴＩは、ｓＴＴＩ（short TTI, shorter TTI, shortened TTI）と称されてもよい。
【０１８０】
ＴＴＩ長がＮＣＰで１４シンボル（ＥＣＰで１２シンボル）のＴＴＩは、単に、ＴＴＩと称されてもよい。
【０１８１】
下りリンク送信に対するｓＴＴＩ（ＤＬ−ｓＴＴＩ）のＴＴＩ長は、２シンボルと７シンボルのいずれかが設定されてもよい。上りリンク送信に対するｓＴＴＩ（ＵＬ−ｓＴＴＩ）のＴＴＩ長は、２シンボルと、３または４シンボル、７シンボルのいずれかが設定されてもよい。ＤＬ−ｓＴＴＩ内に、ｓＰＤＣＣＨとｓＰＤＳＣＨが配置されてもよい。なお、ｓＰＵＳＣＨとｓＰＵＣＣＨとｓＰＲＡＣＨのＴＴＩ長は、個別に設定されてもよい。なお、ｓＰＤＳＣＨのＴＴＩ長には、ｓＰＤＣＣＨのシンボルが含まれてもよいし、ＰＤＣＣＨのシンボルが含まれてもよい。また、ｓＰＵＳＣＨおよび／またはｓＰＵＣＣＨのＴＴＩ長には、ＤＭＲＳのシンボルが含まれてもよいし、ＳＲＳのシンボルが含まれてもよい。
【０１８２】
上述した種々の物理チャネルおよび／または物理信号のサブキャリア間隔は、物理チャネルおよび／または物理信号毎に個別に規定／設定されてもよい。また、種々の物理チャネルおよび／または物理信号の１シンボルの時間長は、物理チャネルおよび／または物理信号毎に個別に規定／設定されてもよい。つまり、種々の物理チャネルおよび／または物理信号のＴＴＩ長は、物理チャネルおよび／または物理信号毎に個別に規定／設定されてもよい。
【０１８３】
本実施形態では、複数のセル（セルに対応するコンポーネントキャリア）を用いて通信を行なうＣＡ（Carrier Aggregation）が行なわれてもよい。ＣＡでは、初期アクセスや
ＲＲＣ接続を確立するセルをプライマリセル（ＰＣｅｌｌ）、プライマリセルを用いて追加／変更／削除／アクティベーション・デアクティベーションされるセカンダリセルがある。
【０１８４】
本実施形態では、複数のセル（セルに対応するコンポーネントキャリア）を用いて通信を行なうＤＣ（Dual Connectivity）が行なわれてもよい。ＤＣでは、２つの基地局装置
（ＭｅＮＢ（Master eNB）、ＳｅＮＢ（Secondary eNB））のそれぞれに属しているセル
でグループを構成する。ＭｅＮＢに属し、プライマリセルを含むセルグループをＭＣＧ（Master Cell Group）とし、ＳｅＮＢに属し、プライマリセカンダリセル（ＰＳＣｅｌｌ
）を含むセルグループをＳＣＧ（Secondary Cell Group）と規定している。プライマリセカンダリセルは、複数のセルグループが設定された場合の、プライマリセルを含まないセルグループ、つまり、ＳＣＧにおいて、プライマリセルと同様の機能を有するセル（セカンダリセル、プライマリセル以外のサービングセル）のことである。
【０１８５】
プライマリセルとプライマリセカンダリセルは、各ＣＧにおけるプライセルの役割を担っている。ここで、プライマリセルとは、ＰＵＣＣＨおよび／またはＰＵＣＣＨに相当する制御チャネルが送信および／または割り当て可能なセルのことであってもよいし、初期アクセス手順／ＲＲＣ接続手順／初期コネクション確立手順に関連するセルであってもよいし、Ｌ１シグナリングでのランダムアクセス手順に関するトリガをかけることのできるセルであってもよいし、無線リンクをモニタリングするセルであってもよいし、セミパーシステントスケジューリングがサポートされるセルであってもよいし、ＲＬＦを検出／判定するセルであってもよいし、常にアクティベーションであるセルであってもよい。なお、本実施形態では、プライマリセルおよび／またはプライマリセカンダリセルの機能を有しているセルのことをスペシャルセルと呼称する場合がある。ＬＲセルに対して、プライマリセル／プライマリセカンダリセル／セカンダリセルはＬＴＥと同様に規定されてもよい。
【０１８６】
本発明において、時間領域は、時間長やシンボルの数で表されてもよい。また、周波数領域は、帯域幅やサブキャリアの数や、周波数方向のリソースエレメントの数、リソースブロック数で表されてもよい。
【０１８７】
ＬＲセルでは、サブフレームのタイプや上位層の設定情報、Ｌ１シグナリングに含まれる制御情報に基づいて、ＴＴＩのサイズ（ＴＴＩ長）が変更可能であってもよい。
【０１８８】
ＬＲセルでは、グラントが不要なアクセスが可能であってもよい。なお、グラントが不要なアクセスとは、ＰＤＳＣＨやＰＵＳＣＨ（下りリンクや上りリンクの共用チャネル／データチャネル）のスケジュールを指示する制御情報（ＤＣＩフォーマット、下りリンクグラント、上りリンクグラント）を用いないアクセスのことである。つまり、ＬＲセルでは、ＰＤＣＣＨ（下りリンクの制御チャネル）を用いた、ダイナミックなリソース割り当てや送信指示を行なわないアクセス方式が適用されてもよい。
【０１８９】
ＬＲセルでは、端末装置は、端末装置の機能（性能、能力）および基地局装置からの設定に基づいて、下りリンクリソース（信号、チャネル）に対応するＨＡＲＱ−ＡＣＫおよび／またはＣＳＩフィードバックを、同じサブフレームにマップされた上りリンクリソース（信号、チャネル）を用いて行なってもよい。なお、このサブフレームにおいて、あるサブフレームにおけるＣＳＩの測定結果に対するＣＳＩに関する参照リソースは、同じサブフレームのＣＲＳまたはＣＳＩ−ＲＳであってもよい。このようなサブフレームは、自己完結型のサブフレームと呼称されてもよい。
【０１９０】
なお、自己完結型のサブフレームは、連続する１つ以上のサブフレームで構成されてもよい。つまり、自己完結型のサブフレームは、複数のサブフレームで構成されてもよいし、複数のサブフレームで構成される１つの送信バーストであってもよい。自己完結型のサブフレームを構成する最後尾のサブフレーム（最後尾を含む後方のサブフレーム）は、上りリンクサブフレームかスペシャルサブフレームであることが好ましい。つまり、この最後尾のサブフレームにおいて、上りリンク信号／チャネルが送信されることが好ましい。
【０１９１】
自己完結型のサブフレームが、複数の下りリンクサブフレームと１つの上りリンクサブフレームまたはスペシャルサブフレームで構成される場合、その複数の下りリンクサブフレームのそれぞれに対するＨＡＲＱ−ＡＣＫは、その１つの上りリンクサブフレームまたはスペシャルサブフレームのＵｐＰＴＳで送信されてもよい。
【０１９２】
通信装置は、信号を受信（復調復号）できたか否かに基づいて、その信号に対するＡＣＫまたはＮＡＣＫを決定する。ＡＣＫは、通信装置において、信号を受信できたことを示し、ＮＡＣＫは、通信装置において、信号を受信できなかったことを示す。ＮＡＣＫがフィードバックされた通信装置は、ＮＡＣＫである信号の再送信を行なってもよい。端末装置は、基地局装置から送信された、ＰＵＳＣＨに対するＨＡＲＱ−ＡＣＫの内容に基づいて、ＰＵＳＣＨを再送信するか否かを決定する。基地局装置は、端末装置から送信された、ＰＤＳＣＨまたはＰＤＣＣＨ／ＥＰＤＣＣＨに対するＨＡＲＱ−ＡＣＫの内容に基づいて、ＰＤＳＣＨを再送信するか否かを決定する。端末装置が送信したＰＵＳＣＨに対するＡＣＫ／ＮＡＣＫは、ＰＤＣＣＨまたはＰＨＩＣＨを用いて端末装置にフィードバックされる。基地局装置が送信したＰＤＳＣＨまたはＰＤＣＣＨ／ＥＰＤＣＣＨに対するＡＣＫ／ＮＡＣＫは、ＰＵＣＣＨまたはＰＵＳＣＨを用いて基地局装置にフィードバックされる。
【０１９３】
なお、本実施形態において、サブフレームは、基地局装置および／または端末装置の送信単位および／または受信単位を示している。また、本実施形態において、ＴＴＩは、基地局装置および／または端末装置の送信単位および／または受信単位を示している。
【０１９４】
基地局装置は、ＣＣＣＨ（Common Control Channel）に対するＬＣＩＤ（Logical Channel ID）と端末装置の能力情報（性能情報、機能情報）に基づいて端末装置がＬＲ（Latency Reduction）デバイスであることを決定してもよい。
【０１９５】
基地局装置は、ＣＣＣＨに対するＬＣＩＤと端末装置の能力情報に基づいて端末装置がＮＲ（Next Generation）デバイスであることを決定してもよい。
【０１９６】
端末装置および／または基地局装置が、ＬＲ、および／または、ＮＲに関する能力をサポートしている場合、受信信号および／または送信信号に用いられるＴＴＩの長さ（シンボル数）に基づいて、処理時間（処理遅延、レイテンシー）が決定されてもよい。つまり、ＬＲ、および／または、ＮＲに関する能力をサポートしている端末装置および／または基地局装置の処理時間は、受信信号および／または送信信号に対するＴＴＩ長に基づいて可変であってもよい。
【０１９７】
Ｓ１シグナリングがページングに対する端末無線能力情報を含んで拡張している。このページング固有の能力情報が基地局装置によってＭＭＥ（Mobility Management Entity）に提供されると、ＭＭＥからのページング要求がＬＲ端末に関することを基地局装置に指示するために、ＭＭＥはこの情報を用いられてもよい。識別子は、ＩＤ（Identity, Identifier）と称されてもよい。
【０１９８】
端末装置の能力情報（UE radio access capability, UE EUTRA capability）は、基地
局装置（ＥＵＴＲＡＮ）が端末装置の能力情報が必要な時、接続モードの端末装置に対する手順を開始する。基地局装置は、端末装置の能力情報を問い合わせる。端末装置は、その問い合わせに応じて端末装置の能力情報を送信する。基地局装置は、その能力情報に対応しているか否かを判断し、対応している場合には、その能力情報に対応した設定情報を、上位層シグナリングなどを用いて端末装置へ送信する。端末装置は、能力情報に対応する設定情報が設定されたことによって、その機能に基づく送受信が可能であると判断する。
【０１９９】
物理チャネルおよび／または物理信号の設定に関するパラメータは上位層パラメータとして上位層シグナリングを介して端末装置に設定されてもよい。また、一部の物理チャネルおよび／または物理信号の設定に関するパラメータは、ＤＣＩフォーマットやグラントなど、Ｌ１シグナリング（物理層シグナリング、例えば、ＰＤＣＣＨ／ＥＰＤＣＣＨ）を介して端末装置に設定されてもよい。また、物理チャネルおよび／または物理信号の設定に関するパラメータはデフォルトの設定またはデフォルト値が端末装置に予め設定されてもよい。また、端末装置は、上位層シグナリングを用いて、それらの設定に関するパラメータが通知されると、デフォルト値を更新してもよい。また、対応する設定に応じて、その設定を通知するために用いられる上位層シグナリング／メッセージの種類は異なってもよい。例えば、上位層シグナリング／メッセージは、ＲＲＣメッセージや報知情報、システムインフォメーションなどが含まれてもよい。
【０２００】
基地局装置は、ＬＡＡ周波数において、ＤＳを送信する場合、ＤＳオケージョン内にデータ情報および／または制御情報をマップしてもよい。そのデータ情報および／または制御情報には、ＬＡＡセルに関する情報が含まれてもよい。例えば、そのデータ情報および／または制御情報には、ＬＡＡセルが属する周波数、セルＩＤ、負荷や混雑状況、干渉／送信電力、チャネルの専有時間や送信データに関するバッファの状況が含まれてもよい。
【０２０１】
ＬＡＡ周波数において、ＤＳが測定される場合、ＤＳに含まれる各信号に用いられるリソースは拡張されてもよい。例えば、ＣＲＳは、アンテナポート０だけでなく、アンテナポート２や３などに対応するリソースが用いられてもよい。また、ＣＳＩ−ＲＳも、アンテナポート１５だけでなく、アンテナポート１６や１７などに対応するリソースが用いられてもよい。
【０２０２】
ＬＲセルにおいて、上位層の信号（ＲＲＣシグナリング）またはシステムインフォメーションを用いて、端末装置にＤＳに関するリソースが設定された場合、Ｌ１シグナリング（ＰＤＣＣＨやＤＣＩフォーマットのあるフィールドに相当する制御情報）やＬ２シグナリング（ＭＡＣ  ＣＥに相当する制御情報）、つまり、下位層の信号（ＲＲＣ層より下の層の信号）を用いて、端末装置は、ＤＳを受信するか否かをダイナミックに指示されてもよい。
【０２０３】
ＬＲセルにおいて、復調／復号用のＲＳとＣＳＩ測定用のＲＳは、共通のリソースであってもよいし、個別に規定される場合は異なるリソースであってもよい。
【０２０４】
次に、本実施形態に係るセルサーチについて説明する。
【０２０５】
ＬＴＥにおいて、セルサーチは、端末装置があるセルの時間周波数同期を行ない、且つ、そのセルのセルＩＤを検出するための手順である。ＥＵＴＲＡセルサーチは、７２サブキャリア以上に対応する拡大縮小可能な全送信帯域幅をサポートする。ＥＵＴＲＡセルサーチは下りリンクにおいて、ＰＳＳとＳＳＳに基づいて行なわれる。ＰＳＳとＳＳＳは各無線フレームの第１のサブフレームと第６のサブフレームの帯域幅の中心の７２サブキャ
リアを用いて送信される。隣接のセルサーチは初期セルサーチとして同じ下りリンク信号に基づいて行なわれる。
【０２０６】
ＬＲにおいて、スタンドアロン型で通信が行なわれる場合には、上記と同様のセルサーチが行なわれてもよい。
【０２０７】
次に、本実施形態に係る物理層の測定について説明する。
【０２０８】
ＬＴＥにおいて、物理層の測定は、イントラ周波数およびインター周波数のＥＵＴＲＡＮ内の測定（ＲＳＲＰ／ＲＳＲＱ）と、端末装置の受信送信の時間差、端末装置のポジショニングに用いられる参照信号時間差に関する測定（ＲＳＴＤ）と、ＲＡＴ間（ＥＵＴＲＡＮ−ＧＥＲＡＮ／ＵＴＲＡＮ）に関する測定と、システム間（ＥＵＴＲＡＮ−非３ＧＰＰ  ＲＡＴ）に関する測定などがある。なお、物理層の測定は、モビリティをサポートするために行なわれる。また、ＥＵＴＲＡＮ測定には、アイドルモードの端末装置によって行なわれる測定や接続モードの端末装置によって行なわれる測定がある。端末装置は、適切な測定ギャップにおいてＥＵＴＲＡＮ測定を行ない、ＥＵＴＲＡＮ測定をしたセルに同期している。なお、これらの測定は、端末装置で行なわれるため、端末装置の測定と称されてもよい。
【０２０９】
端末装置は、ＥＵＴＲＡＮ内の測定に対して、少なくとも２つの物理量（ＲＳＲＰ、ＲＳＲＱ）がサポートされてもよい。さらに、端末装置は、ＲＳＳＩに関する物理量がサポートされてもよい。端末装置は、上位層パラメータとして設定された物理量に関するパラメータに基づいて対応する測定を行なってもよい。
【０２１０】
物理層の測定は、モビリティをサポートするために行なわれる。例えば、イントラ周波数およびインター周波数のＥＵＴＲＡＮ内の測定（ＲＳＲＰ／ＲＳＲＱ）と、端末装置の受信と送信間の時間差、端末装置のポジショニングに用いられる参照信号時間差に関する測定（ＲＳＴＤ）と、インターＲＡＴ（ＥＵＴＲＡＮ−ＧＥＲＡＮ／ＵＴＲＡＮ）に関する測定と、システム間（ＥＵＴＲＡＮ−非３ＧＰＰ  ＲＡＴ）に関する測定などがある。例えば、物理層の測定は、イントラおよびインター周波数ハンドオーバに対する測定やインターＲＡＴハンドオーバに対する測定、タイミング測定、ＲＲＭに対する測定、ポジショニングがサポートされていればポジショニングに関する測定が含まれる。なお、インターＲＡＴハンドオーバに対する測定は、ＧＳＭ（登録商標），ＵＴＲＡ  ＦＤＤ，ＵＴＲＡ  ＴＤＤ，ＣＤＭＡ２０００，１ｘＲＴＴ，ＣＤＭＡ２０００  ＨＲＰＤ，ＩＥＥＥ８０２．１１へのハンドオーバのサポートにおいて定義されている。また、ＥＵＴＲＡＮ測定は、モビリティをサポートするために用いられる。また、ＥＵＴＲＡＮ測定には、アイドルモードの端末装置によって行なわれる測定や接続モードの端末装置によって行なわれる測定がある。例えば、イントラおよびインター周波数のそれぞれに対して、端末装置がアイドルモードと接続モードのどちらのモードであっても、ＲＳＲＰやＲＳＲＱは測定されてもよい。端末装置は、適切な測定ギャップにおいてＥＵＴＲＡＮ測定を行ない、ＥＵＴＲＡＮ測定をしたセルに同期している。
【０２１１】
物理層の測定は、無線特性が端末装置および基地局装置によって測定され、ネットワークの上位層に報告されることを含んでいる。
【０２１２】
次に、本実施形態に係る、ある物理チャネルに関連する参照信号の物理リソースへのマッピング手順の一例について説明する。
【０２１３】
端末装置は、少なくとも第１のパラメータを用いて、第１の参照信号に対する系列を生成する。少なくとも第１のパラメータは、端末装置の速度に基づいて設定されてもよい。
例えば、端末装置の速度が第１の閾値（所定の閾値）を超えない場合には、第１のパラメータは、第１の値に設定されてもよい。端末装置の速度が第１の閾値を超える場合には、第１のパラメータは、第２の値に設定されてもよい。端末装置は、第１の参照信号に対する系列に基づいて、同じサブフレーム内、および／または、同じＴＴＩ内の第２の参照信号に対する系列を生成する。第２の参照信号に対する系列の物理リソースへのマッピングは、第１の参照信号に対する系列に基づいて行なわれてもよい。例えば、第１の参照信号に対する系列が第１の値を用いて生成される場合、第２の参照信号に対する系列の物理リソースへのマッピングは、第１のマッピングが適用されてもよい。また、第１の参照信号に対する系列が第２の値を用いて生成される場合、第２の参照信号に対する系列の物理リソースへのマッピングは、第２のマッピングが適用されてもよい。なお、第１のマッピングは、端末装置の速度に因らず、固定および／または固有および／または特定のマッピングであり、第２のマッピングは、端末装置の速度に基づいて、および／または、第１の系列に基づいて、可変になるマッピングである。
【０２１４】
なお、端末装置が第２の閾値（例えば、第１の閾値＜第２の閾値）を超える場合には、第１のパラメータは、第３の値に設定されてもよい。
【０２１５】
なお、第１のパラメータの選択または切り替え可能な範囲（選択肢として設定される値であってもよい）は、上位層シグナリングまたはシステムインフォメーションを介して設定されてもよい。
【０２１６】
第１の参照信号がサイドリンク物理チャネルの復調に用いられる場合には、端末装置は、第１の参照信号に対する第１の系列に基づいて、第２の参照信号に対する第２の系列が、同じサブフレーム内、および／または、同じＴＴＩ内の物理リソースへマッピングするかどうかを決定してもよい。例えば、第１の系列が、第３の系列である場合には、同じサブフレーム内、および／または、同じＴＴＩ内に、第２の系列を物理リソースへマッピングしなくてもよい。第１の系列が、第４の系列である場合には、同じサブフレーム内、および／または、同じＴＴＩ内に、第２の系列を物理リソースへマッピングしてもよい。なお、ＴＴＩには、ｓＴＴＩが含まれてもよい。つまり、ＴＴＩには、長さ（シンボルの数）の異なるＴＴＩが含まれてもよい。
【０２１７】
また、第１の系列がマップされるシンボルと、第２の系列がマップされるシンボルは異なってもよい。また、第１の系列がマップされる物理リソース（リソースエレメント、シンボル）と、第２の系列がマップされる物理リソースは異なってもよい。また、第１の系列がマップされるリソースエレメントおよび／またはシンボルの数と、第２の系列がマップされるリソースエレメントおよび／またはシンボルの数は異なってもよい。物理リソースは、サブフレーム内、および／または、ＴＴＩ内の物理リソースであってもよい。また、物理リソースは、特定のシンボルの特定のリソースエレメントであってもよい。
【０２１８】
端末装置は、他の端末装置からのサイドリンク送信（サイドリンク物理チャネルの送信）に対して、サイドリンク送信に含まれる第１の参照信号に対する第１の系列に基づいて、同じサブフレーム内、および／または、同じＴＴＩ内の第２の参照信号に対する第２の系列の物理リソースへのマッピングを想定し、サイドリンク物理チャネルの受信処理を行なう。例えば、端末装置は、受信した第１の参照信号に対する第１の系列が、第３の系列であれば、同じサブフレーム内、および／または、同じＴＴＩ内で送信される第２の参照信号に対する第２の系列の物理リソースへのマッピングが第１のマッピングであると想定し、サイドリンク物理チャネルの受信処理を行なう。また、端末装置は、受信した第１の参照信号に対する第１の系列が、第４の系列であれば、同じサブフレーム内、および／または、同じＴＴＩ内で送信される第２の参照信号に対する第２の系列の物理リソースへのマッピングが第２のマッピングであると想定し、サイドリンク物理チャネルの受信処理を
行なう。なお、受信処理には、復調処理が含まれてもよい。また、受信処理には、復号処理が含まれてもよい。受信処理には、受信した信号から情報（データ情報（ユーザデータ）、制御情報（制御データ））を抽出するための処理が含まれてもよい。
【０２１９】
また、端末装置は、他の端末装置からのサイドリンク送信（サイドリンク物理チャネルの送信）に対して、サイドリンク送信に含まれる第１の参照信号に対する第１の系列に基づいて、同じサブフレーム内、および／または、同じＴＴＩ内の第２の参照信号に対する第２の系列の物理リソースへのマッピングがされているかどうかを想定してもよい。
【０２２０】
図３は、本実施形態に係る端末装置の速度に基づくサイドリンク物理チャネルおよび／または関連するＤＭＲＳの物理リソースへのマッピングの一例を示す図である。図３（ａ）は、端末装置の速度が第１の速度（例えば、低速）の時のサイドリンク物理チャネルおよび／または関連するＤＭＲＳのマッピングの例である。図３（ｂ）は、端末装置の速度が第２の速度（例えば、中速）の時のサイドリンク物理チャネルおよび／または関連するＤＭＲＳのマッピングの例である。図３（ｃ）は、端末装置の速度が第３の速度（例えば、高速）の時のサイドリンク物理チャネルおよび／または関連するＤＭＲＳのマッピングの例である。端末装置の速度に基づいて、時間方向のリソースが増加してもよい。なお、サブフレーム内および／またはＴＴＩ内の先頭に配置されるプリアンブルが、サイドリンク物理チャネルの復調に用いられる場合には、図３（ａ）に記載のＤＭＲＳは、配置されなくてもよい。つまり、図３（ａ）に記載のＤＭＲＳが配置されるシンボルには、サイドリンク物理チャネルが配置されてもよい。上述した第１のマッピングは、図３（ａ）のマッピングであってもよい。上述した第２のマッピングは、図３（ｂ）のマッピングであってもよい。第１のマッピング、および、第２のマッピングは、図３のマッピング以外のマッピングであってもよい。
【０２２１】
第１の参照信号は、以下の要素Ａ１からＡ１９のうち、少なくとも１つ、または、全部であってもよい。
・要素Ａ１：ＰＳＳＳ
・要素Ａ２：ＳＳＳＳ
・要素Ａ３：ＰＳＢＣＨ、および／または、ｓＰＳＢＣＨに関連するＤＭＲＳ
・要素Ａ４：ＰＳＤＣＨ、および／または、ｓＰＳＤＣＨに関連するＤＭＲＳ
・要素Ａ５：特定のサブフレームおよび／または特定のシンボルに配置されるＰＳＳＣＨに関連するＤＭＲＳ
・要素Ａ６：特定のサブフレームおよび／または特定のシンボルに配置されるＰＳＣＣＨに関連するＤＭＲＳ
・要素Ａ７：ＰＳＳ
・要素Ａ８：ＳＳＳ
・要素Ａ９：ＰＢＣＨ
・要素Ａ１０：特定のサブフレームおよび／または特定のシンボルに配置されるＣＲＳ
・要素Ａ１１：特定のサブフレームおよび／または特定のシンボルに配置されるＵＲＳまたはＤＭＲＳ
・要素Ａ１２：特定のサブフレームおよび／または特定のシンボルに配置されるＣＳＩ−ＲＳ
・要素Ａ１３：特定のサブフレームおよび／または特定のシンボルに配置されるＰＲＳ
・要素Ａ１４：ＰＲＡＣＨ、および／または、ｓＰＲＡＣＨ
・要素Ａ１５：ＴＴＩ（ｓＴＴＩ）、および／または、サブフレーム内の先頭（１番目のシンボル）に配置されるＰＲＡＣＨ、および／または、ｓＰＲＡＣＨ、および／または、プリアンブル信号／系列（ＰＲＡＣＨとは、異なるプリアンブル系列を有する信号）
・要素Ａ１６：ＳＲＳ
・要素Ａ１７：ＴＴＩ（ｓＴＴＩ）またはサブフレーム内の先頭（１番目のシンボル）に
配置されるＳＲＳ
・要素Ａ１８：特定のサブフレームおよび／または特定のシンボルに配置されるＰＵＳＣＨに関連するＤＭＲＳ
・要素Ａ１９：特定のサブフレームおよび／または特定のシンボルに配置されるＰＵＣＣＨに関連するＤＭＲＳ
【０２２２】
なお、特定のサブフレームには、特定のサブフレーム内の特定のＴＴＩが含まれてもよい。
【０２２３】
なお、特定のシンボルには、特定のサブフレーム内の特定のシンボル、および／または、特定のＴＴＩ内の特定のシンボルが含まれてもよい。
【０２２４】
第１のパラメータは、以下の要素Ｂ１からＢ１５のうち、少なくとも１つ、または、全部であってもよい。なお、以下の各要素には、デフォルト値が予め設定されてもよい。また、一部の要素は、上位層シグナリングを介して提供されてもよいし、ＤＣＩフォーマットまたはＳＣＩフォーマットを介して提供されてもよい。
・要素Ｂ１：系列生成に用いられる物理チャネル／物理信号に対して固有に設定されるＩＤ
・要素Ｂ２：サイクリックシフト
・要素Ｂ３：ＲＮＴＩの種類
・要素Ｂ４：要素Ｂ３に対応するＲＮＴＩの値
・要素Ｂ５：付加されるＣＰの種類、および、ＣＰに対応する値
・要素Ｂ６：サブフレーム番号／インデックス
・要素Ｂ７：スロット番号／インデックス
・要素Ｂ８：シンボル番号／インデックス
・要素Ｂ９：ＴＴＩ（ｓＴＴＩ）番号／インデックス、または、あるサブフレームに含まれるＴＴＩ（ｓＴＴＩ）番号／インデックス
・要素Ｂ１０：アンテナポート番号
・要素Ｂ１１：系列シフトパターンに基づくオフセット値
・要素Ｂ１２：ＤＣＩによって設定されるＩＤ
・要素Ｂ１３：ＳＣＩによって設定されるＩＤ
・要素Ｂ１４：端末装置の速度に基づいて算出／選択される値
・要素Ｂ１５：全世界、または、ある特定のエリアを特定のゾーンで区分した場合の、端末装置がいる（端末装置がインカバレッジである）、または、測定および／または通信を行なう、ゾーン（カバレッジ）を示すＩＤ（ゾーンＩＤ）
【０２２５】
次に、第１の参照信号、および／または、第２の参照信号に対する系列生成の一例について説明する。
【０２２６】
第１の参照信号、および／または、第２の参照信号に対する系列は、サイクリックシフトおよび基準系列によって定義されてもよい。系列および基準系列の長さは、物理チャネル、および／または、物理信号がマップされる帯域幅を構成するサブキャリアの数（つまり、周波数方向のリソースエレメントの数）に基づいてもよい。
【０２２７】
つまり、系列は、上述した要素Ｂ２に基づいて定義されてもよい。
【０２２８】
系列および基準系列は、グループ番号（系列グループ番号）および基準系列番号（グループ内の基準系列番号）に対応して、生成されてもよい。グループ内の基準系列は、各系列長に対して、１つの場合と２つの場合があってもよい。基準系列の定義は、系列長に基づいてもよい。例えば、基準系列の系列長が、３６よりも長い場合（３６を含んでもよい
。）と短い場合で、定義が異なってもよい。基準系列の系列長が、３６よりも長い場合には、基準系列は、ＺＣ（Zadoff-Chu）系列に基づいて与えられてもよい。基準系列の系列長が、３６よりも短い場合には、予め定義された系列を用いてもよい。この予め定義された系列は、ＣＧＳ（Computer Generated Sequence）と称されてもよい。例えば、第１の
参照信号、および、第２の参照信号に対して用いられる系列長が異なる場合には、第１の参照信号は、ＣＧＳ、第２の参照信号は、ＺＣ系列であってもよい。
【０２２９】
あるスロット（あるＴＴＩ）のグループ番号は、グループホッピングパターン（系列グループホッピングパターン）および系列シフトパターンに基づいて定義されてもよい。例えば、グループホッピングパターンは１７種類あり、系列シフトパターンは３０種類あってもよい。グループホッピングパターンは、あるスロット（あるＴＴＩ）に対して、セル毎（つまり、セル内の端末装置に対して共通）に規定されるパターンである。系列シフトパターンは、グループホッピングが有効かどうかに因らず、および、スロット（ＴＴＩ）に因らず、セル毎に規定されるパターンである。グループホッピングパターンおよび系列シフトパターンは、セル間干渉を低減するために用いられてもよい。
【０２３０】
グループホッピングパターンは、物理チャネル、および／または、物理信号のそれぞれに対して異なってもよい。
【０２３１】
グループホッピングパターンは、スロット番号（ＴＴＩ番号）、グループホッピングを有効にするかどうか、および／または、擬似ランダム系列に基づいて、規定されてもよい。擬似ランダム系列ジェネレータは、各無線フレームのはじめに、所定の初期値に基づいて初期化されてもよい。初期値は、物理チャネル、および／または、物理信号に対して設定されるＩＤであってもよいし、物理セルＩＤであってもよい。
【０２３２】
グループホッピングパターンおよび／または系列ホッピングパターンは、スロット間におけるセル間干渉を低減するために用いられてもよい。
【０２３３】
ホッピングパターンや系列シフトパターンは、セル内の端末装置間で共通であるが、あるリソースエレメントに対する系列の値は、端末装置毎に規定されてもよい。
【０２３４】
本実施形態において、擬似ランダム系列は、ゴールド系列および／またはＭ系列に基づいて定義されてもよい。
【０２３５】
つまり、グループホッピングパターンは、上述した要素Ｂ１、Ｂ６〜Ｂ９、Ｂ１５の一部または全部に基づいて与えられてもよい。
【０２３６】
系列シフトパターンは、物理チャネル、および／または、物理信号のそれぞれに対して定義されてもよい。例えば、ある物理チャネルに対する系列シフトパターンは、物理セルＩＤおよび系列シフトパターンに関する上位層パラメータに基づいて与えられてもよい。また、別の物理チャネルに対する系列シフトパターンは、物理チャネルに対して設定されるＩＤに基づいて与えらえてもよい。
【０２３７】
つまり、系列シフトパターンは、上述した要素Ｂ１、Ｂ１１、Ｂ１５の一部または全部に基づいて与えられてもよい。
【０２３８】
系列ホッピングは、所定の系列長の物理チャネルおよび／または物理信号に対して適用されてもよい。所定の系列長未満の物理チャネルおよび／または物理信号に対して、基準系列グループ内の基準系列番号は０であってもよい。所定の系列長よりも長い場合には、あるスロット（あるＴＴＩ）における基準系列グループ内の基準系列番号はスロット番号
（ＴＴＩ番号）に対する擬似ランダム系列に基づいて定義されてもよい。系列ホッピングのパターンは、グループホッピングが無効であり、系列ホッピングが有効である場合に規定され、それ以外の場合、系列ホッピングは行なわなくてもよい。つまり、系列ホッピングは、グループホッピングの代わりに、スロット間（またはＴＴＩ間）で系列をホッピングするために用いられてもよい。系列ホッピングに対する擬似ランダム系列に対する擬似ランダム系列ジェネレータは、無線フレームのはじめに、所定の初期値に基づいて初期化されてもよい。所定の初期値は、物理チャネルおよび／または物理信号に対して設定されるＩＤおよび／または系列シフトに対するオフセット値に基づいて与えられてもよい。
【０２３９】
つまり、系列ホッピングパターンは、上述した要素Ｂ１、Ｂ１１、Ｂ１５の一部または全部に基づいて与えられてもよい。
【０２４０】
グループホッピングパターン、系列シフトパターン、および／または、系列ホッピングパターンは、端末装置が端末装置の速度に基づいて物理チャネルおよび／または物理信号のマッピングパターンを変える能力がサポートされている場合には、さらに、要素Ｂ１４に基づいて与えられてもよい。
【０２４１】
なお、擬似ランダム系列ジェネレータの初期化は、無線フレームだけでなく、サブフレームのはじめに行なわれてもよいし、スロットのはじめに行なわれてもよいし、シンボルのはじめに行なわれてもよいし、ＴＴＩのはじめに行なわれてもよい。
【０２４２】
なお、擬似ランダム系列ジェネレータの初期化に用いられる初期値は、上述した要素Ｂ１、Ｂ３〜Ｂ９、Ｂ１２、Ｂ１３の一部または全部に基づいて与えられてもよい。さらに、端末装置が端末装置の速度に基づいて物理チャネルおよび／または物理信号のマッピングパターンを変える能力がサポートされている場合には、初期値は、要素Ｂ１、Ｂ３〜Ｂ９、Ｂ１２、Ｂ１３の一部または全部に加え、上述した要素Ｂ１４、Ｂ１５に基づいて与えられてもよい。
【０２４３】
第１の参照信号、および／または、第２の参照信号に対する系列は、アンテナポートに対して与えられてもよい。つまり、上述した要素Ｂ１０に対応するパラメータに基づいて、各系列は与えられてもよい。
【０２４４】
なお、各アンテナポートに対するサイクリックシフトは、上位層シグナリングを介して設定される値およびアンテナポート番号に基づいて与えられてもよい。なお、サイクリックシフトに関する値は、系列、および／または、系列がマップされるリソースエレメント、および／または、アンテナポートに対応する系列がマップされるリソースエレメントのうち、少なくとも１つに対する、位相回転量を設定するために用いられてもよい。つまり、サイクリックシフトに基づく位相回転量は、系列毎、リソースエレメント毎、アンテナポート毎、物理チャネルおよび／または物理信号毎、端末装置毎に個別に設定されてもよい。
【０２４５】
第１の参照信号の送信に用いられるアンテナポート（アンテナポート番号）、および／または、アンテナポートに対応するリソースエレメントは、端末装置の速度に基づいて、変わってもよい。つまり、端末装置は、端末装置の速度に基づいて、対応するアンテナポートを用いて、物理チャネルおよび／または物理信号を送信してもよい。例えば、端末装置の速度が第１の閾値を超えないとすれば、端末装置は、第１のアンテナポートを用いて第１の参照信号を送信してもよい。端末装置の速度が第１の閾値を超えるとすれば、端末装置は、第２のアンテナポートを用いて第１の参照信号を送信してもよい。ここで、第１のアンテナポートに対するマッピングパターンと第２のアンテナポートに対するマッピングパターンは異なってもよい。また、第１のアンテナポートに対するサイクリックシフト
と第２のアンテナポートに対するサイクリックシフトは異なってもよい。
【０２４６】
また、第１の参照信号の送信に用いられるアンテナポート（アンテナポート番号）、および／または、アンテナポートに対応するリソースエレメントは、端末装置の速度に基づいて、追加されてもよい。例えば、第１の参照信号に対して第１のアンテナポートを用いて送信する場合、端末装置の速度が第１の閾値を超えると、端末装置は、第１のアンテナポートおよび第２のアンテナポートを用いて第１の参照信号を送信してもよい。端末装置の速度に応じて、追加されるアンテナポートの数（総数）、および／または、アンテナポートに対するリソースエレメントの数（総数）が決定されてもよい。
【０２４７】
第２の参照信号は、以下の要素Ｃ１からＣ８のうち、少なくとも１つ、または、全部であってもよい。
・要素Ｃ１：要素Ａ５に対する物理リソース（リソースエレメント）を除く、ＰＳＳＣＨおよび／またはｓＰＳＳＣＨに関連するＤＭＲＳ
・要素Ｃ２：要素Ａ６に対する物理リソース（リソースエレメント）を除く、ＰＳＣＣＨおよび／またはｓＰＳＣＣＨに関連するＤＭＲＳ
・要素Ｃ３：ＰＤＣＣＨ／ＥＰＤＣＣＨ／ｓＰＤＣＣＨに関連するＵＲＳおよび／またはＤＭＲＳ
・要素Ｃ４：ＰＤＳＣＨ／ｓＰＤＳＣＨに関連するＵＲＳおよび／またはＤＭＲＳ
・要素Ｃ５：要素Ａ１０に対する物理リソース（リソースエレメント）を除くＣＲＳ
・要素Ｃ６：要素Ａ１１に対する物理リソース（リソースエレメント）を除く、ＵＲＳおよび／またはＤＭＲＳ
・要素Ｃ７：ＰＵＣＣＨ、および／または、ｓＰＵＣＣＨに関連するＤＭＲＳ
・要素Ｃ８：ＰＵＳＣＨ、および／または、ｓＰＵＳＣＨに関連するＤＭＲＳ
【０２４８】
なお、所定の閾値は、閾値の数だけ存在してもよい。また、所定の閾値は、上位層シグナリングを介して追加、および／または、変更、および／または、削除可能であってもよい。また、第１のパラメータに設定可能な値の数は、所定の閾値の数に対応して設定されてもよい。
【０２４９】
次に、本実施形態に係るリソースプールに関する設定手順の一例について説明する。
【０２５０】
端末装置は、１つ以上のリソースプールに関する設定を含む１つ以上のリソースプールリストが設定される。端末装置は、端末装置の速度に基づいて、複数のリソースプールリストの中から対応するリソースプールリストを選択する。例えば、端末装置の速度が第１の閾値（所定の閾値）を超えない場合には、端末装置は、複数のリソースプールリストの中から第１のリソースプールリストに含まれる、第１のリソースプールを選択してもよい。また、端末装置の速度が第１の閾値を超える場合には、端末装置は、複数のリソースプールリストの中から第２のリソースプールリストに含まれる、第２のリソースプールを選択してもよい。
【０２５１】
なお、端末装置の速度が第２の閾値（例えば、第１の閾値＜第２の閾値）を超える場合には、複数のリソースプールリストの中から第３のリソースプールリストに含まれる、第３のリソースプールを選択する。
【０２５２】
対応する閾値の数に基づいて、選択するソースプールリストの数が決定されてもよい。
【０２５３】
端末装置は、選択したリソースプールを用いて、対応するサイドリンク物理チャネルを送信してもよい。つまり、サイドリンク物理チャネル毎にリソースプールが設定されてもよい。
【０２５４】
同じリソースプールリストに含まれる異なるリソースプールにおける参照信号（ＤＭＲＳ）のマッピングは、同じマッピングであってもよい。
【０２５５】
なお、端末装置の速度に対応する複数のリソースプールリストは、端末装置がアウトオブカバレッジである場合には、端末装置の事前設定に基づいて与えられ、端末装置がインカバレッジである場合には、受信したサイドリンクに関連するＳＩＢまたは基地局装置からの上位層シグナリングに基づいて与えられてもよい。
【０２５６】
また、端末装置は、端末装置の速度に基づいて、１つのリソースプールリストの中から、端末装置の速度に対応するリソースプールを選択してもよい。例えば、端末装置の速度が第１の閾値（所定の閾値）を超えない場合には、端末装置は、特定のリソースプールリストの中から第１のリソースプールを選択してもよい。端末装置の速度が第１の閾値を超える場合には、端末装置は、特定のリソースプールリストの中から第２のリソースプールを選択してもよい。
【０２５７】
なお、端末装置の速度が第２の閾値（例えば、第１の閾値＜第２の閾値）を超える場合には、特定のリソースプールリストの中から第３のリソースプールを選択してもよい。
【０２５８】
なお、第１のリソースプールから第ｎのリソースプール（ｎは所定の値）における参照信号のマッピングは、各リソースプールに関する設定に含まれる、少なくとも上記の第１のパラメータ、および／または、第２のパラメータに基づいて決定されてもよい。
【０２５９】
また、リソースプールおよび／またはリソースプールリストは、以下の要素Ｄ１からＤ３のうち、少なくとも１つ、または、全部に対して含まれてもよい。
・要素Ｄ１：（歩行者用の端末装置における）サイドリンク通信に対する設定
・要素Ｄ２：（歩行者用の端末装置における）サイドリンク発見に対する設定
・要素Ｄ３：歩行者用の端末装置を除くＶ２Ｘ通信に対する（つまり、車載用の端末装置におけるサイドリンク通信および／またはサイドリンク発見に対する）設定
【０２６０】
また、リソースプール内で送信されるサイドリンク物理チャネル、および／または、関連するＤＭＲＳの物理リソースへのマッピングは、以下の要素Ｅ１からＥ４のうち、少なくとも１つ、または、全部に基づいて、決定されてもよい。
・要素Ｅ１：リソースプールおよび／またはリソースプールリストが含まれる設定の種類（リリース、バージョン）
・要素Ｅ２：リソースプールに関する設定が含まれるリソースプールリストの種類（リリース、バージョン）
・要素Ｅ３：リソースプールに関する設定の種類（リリース、バージョン）
・要素Ｅ４：リソースプールに関する設定に含まれる、マッピングパターンを指示するパラメータ
【０２６１】
また、第２のパラメータは、以下の要素Ｆ１からＦ６のうち、少なくとも１つ、または、全部であってもよい。
・要素Ｆ１：サイドリンク物理チャネルの物理リソースへのマッピングに用いられる１サブフレーム内および／またはＴＴＩ内のシンボルの数
・要素Ｆ２：サイドリンク物理チャネルに関連するＤＭＲＳの物理リソースへのマッピングに用いられる１サブフレーム内および／またはＴＴＩ内のシンボルの数
・要素Ｆ３：サイドリンク物理チャネルに関連するＤＭＲＳの物理リソースへのマッピングに用いられる１サブフレーム内および／またはＴＴＩ内の１シンボル内のリソースエレメントの数またはＤＭＲＳに用いられるリソースエレメントの配置間隔（櫛形の周波数配
置に関する値）
・要素Ｆ４：上記の第１の参照信号がリソースプールに含まれているか否かを示すパラメータ
・要素Ｆ５：上記の第１の参照信号に基づいて、上記の第２の参照信号が含まれているかどうかを示すパラメータ
・要素Ｆ６：上記の第２の参照信号がリソースプールに含まれているか否かを示すパラメータ
【０２６２】
端末装置は、あるサイドリンク物理チャネルの受信に対するリソースプールに関する設定に基づいて、サイドリンク物理チャネルを受信する。端末装置は、受信したサイドリンク物理チャネルおよび／または関連するＤＭＲＳに対して、リソースプールに関する設定と対応したマッピングパターンに基づいて、受信処理を行なってもよい。なお、リソースプールに関する設定に対して、上記の第１の参照信号に関する設定が含まれるとすれば、端末装置は、上記の第１の参照信号に対する第１の系列に基づいて、受信処理を行なってもよい。
【０２６３】
なお、端末装置の速度に基づいて、サイドリンク物理チャネルおよび／またはサイドリンク物理チャネルに関連するＤＭＲＳに用いられるシンボルの数および／またはリソースエレメントの数が変わる場合、シンボルの数および／またはリソースエレメントの数に対応してＴＢＳ（Transport Block Size）および／またはＭＣＳ（Modulation and Coding Scheme）が制限されてもよい。言い換えると、ＴＢＳおよび／またはＭＣＳが制限される場合には、サイドリンク物理チャネルおよび／またはサイドリンク物理チャネルに関連するＤＭＲＳに用いられるシンボルの数および／またはリソースエレメントの数に制限を設けてもよい。
【０２６４】
なお、本実施形態に係る物理チャネルおよび物理信号はそれぞれ、物理チャネルおよび／または物理信号と同様の構成を有する物理チャネルおよび物理信号であってもよい。
【０２６５】
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数および／または異なる周波数のエリアに混在して一つの通信システムを形成している無線ネットワークのことを、ヘテロジニアスネットワークと称する。
【０２６６】
端末装置は電源を入れた直後など（例えば、起動時）、いずれのネットワークとも非接続状態である。このような非接続状態をアイドルモード（ＲＲＣアイドル）と称する。アイドルモードの端末装置は通信を行なうために、いずれかのネットワークと接続する必要がある。つまり、端末装置は、接続モード（ＲＲＣ接続）になる必要がある。ここで、ネットワークは、ネットワークに属する基地局装置やアクセスポイント、ネットワークサーバ、モデムなどを含んでもよい。
【０２６７】
端末装置と基地局装置は、ＣＡによって複数の異なる周波数バンド（周波数帯）の周波数（コンポーネントキャリア、または、周波数帯域）を集約（アグリゲート）して一つの周波数（周波数帯域）のように扱う技術を適用してもよい。コンポーネントキャリアには、上りリンク（上りリンクセル）に対応する上りリンクコンポーネントキャリアと、下りリンク（下りリンクセル）に対応する下りリンクコンポーネントキャリアとがある。本発明の各実施形態において、周波数と周波数帯域は同義的に使用され得る。
【０２６８】
例えば、ＣＡによって周波数帯域幅が２０ＭＨｚのコンポーネントキャリアを５つ集約
した場合、ＣＡを可能な能力を持つ端末装置はこれらを１００ＭＨｚの周波数帯域幅とみなして送受信を行なってもよい。なお、集約するコンポーネントキャリアは連続した周波数であっても、すべてまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。端末装置および／または基地局装置は、それらのオペレーティングバンドに属するコンポーネントキャリア（セルに相当するコンポーネントキャリア）を用いて同時に、送信および／または受信を行なってもよい。
【０２６９】
また、同一周波数帯の連続または不連続の複数のコンポーネントキャリアを集約することも可能である。各コンポーネントキャリアの周波数帯域幅は端末装置の受信可能周波数帯域幅（例えば、２０ＭＨｚ）よりも狭い周波数帯域幅（例えば、５ＭＨｚや１０ＭＨｚ）であってもよく、集約する周波数帯域幅が各々異なっていてもよい。ＮＲの機能を有する端末装置および／または基地局装置は、ＬＴＥセルと後方互換性を持つセルと、後方互換性を持たないセルの両方をサポートしてもよい。
【０２７０】
また、ＬＲの機能を有する端末装置および／または基地局装置は、ＬＴＥと後方互換性のない複数のコンポーネントキャリア（キャリアタイプ、セル）を集約してもよい。なお、基地局装置が端末装置に割り当てる（設定する、追加する）上りリンクコンポーネントキャリアの数は、下りリンクコンポーネントキャリアの数と同じか少なくてもよい。
【０２７１】
無線リソース要求のための上りリンク制御チャネルの設定が行なわれる上りリンクコンポーネントキャリアと、当該上りリンクコンポーネントキャリアとセル固有接続される下りリンクコンポーネントキャリアから構成されるセルは、ＰＣｅｌｌと称される。また、ＰＣｅｌｌ以外のコンポーネントキャリアから構成されるセルは、ＳＣｅｌｌと称される。端末装置は、ＰＣｅｌｌでページングメッセージの受信、報知情報の更新の検出、初期アクセス手順、セキュリティ情報の設定などを行なう一方、ＳＣｅｌｌではこれらを行なわなくてもよい。
【０２７２】
ＰＣｅｌｌは活性化（Activation）および不活性化（Deactivation）の制御の対象外であるが（つまり必ず活性化しているとみなされる）、ＳＣｅｌｌは活性化および不活性化という状態（state）を持ち、これらの状態の変更は、基地局装置から明示的に指定され
るほか、コンポーネントキャリア毎に端末装置に設定されるタイマーに基づいて状態が変更される。ＰＣｅｌｌとＳＣｅｌｌとを合わせてサービングセル（在圏セル）と称する。
【０２７３】
ＬＴＥセルとＬＲセルの両方をサポートしている端末装置および／または基地局装置は、ＬＴＥセルとＬＲセルの両方を用いて通信を行なう場合、ＬＴＥセルに関するセルグループとＬＲセルに関するセルグループを構成してもよい。つまり、ＬＴＥセルに関するセルグループとＬＲセルに関するセルグループのそれぞれにおいて、ＰＣｅｌｌに相当するセルが含まれてもよい。
【０２７４】
ＬＴＥセルとＮＲセルの両方をサポートしている端末装置および／または基地局装置は、ＬＴＥセルとＮＲセルの両方を用いて通信を行なう場合、ＬＴＥセルに関するセルグループとＮＲセルに関するセルグループを構成してもよい。つまり、ＬＴＥセルに関するセルグループとＮＲセルに関するセルグループのそれぞれにおいて、ＰＣｅｌｌに相当するセルが含まれてもよい。
【０２７５】
なお、ＣＡは、複数のコンポーネントキャリア（周波数帯域）を用いた複数のセルによる通信であり、セル・アグリゲーションとも称される。なお、端末装置は、周波数毎に中
継局装置（またはリピーター）を介して基地局装置と無線接続（ＲＲＣ接続）されてもよい。すなわち、本実施形態の基地局装置は、中継局装置に置き換えられてもよい。
【０２７６】
基地局装置は端末装置が該基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。さらに、スモールセルは、そのエリアの大きさに応じて、フェムトセル、ピコセル、ナノセルに分類される。また、端末装置がある基地局装置と通信可能であるとき、その基地局装置のセルのうち、端末装置との通信に使用されるように設定されているセルはサービングセルであり、その他の通信に使用されないセルは周辺セルと称される。
【０２７７】
言い換えると、ＣＡにおいて、設定された複数のサービングセルは、１つのＰＣｅｌｌと１つまたは複数のＳＣｅｌｌとを含む。
【０２７８】
ＰＣｅｌｌは、初期コネクション確立手順（RRC Connection establishment procedure）が行なわれたサービングセル、コネクション再確立手順（RRC Connection reestablishment procedure）を開始したサービングセル、または、ハンドオーバ手順においてＰＣｅｌｌと指示されたセルである。ＰＣｅｌｌは、プライマリ周波数でオペレーションする。コネクションが（再）確立された時点、または、その後に、ＳＣｅｌｌが設定されてもよい。ＳＣｅｌｌは、セカンダリ周波数でオペレーションする。なお、コネクションは、ＲＲＣコネクションと称されてもよい。ＣＡをサポートしている端末装置に対して、１つのＰＣｅｌｌと１つ以上のＳＣｅｌｌで集約されてもよい。
【０２７９】
端末装置は、１つよりも多いサービングセルが設定されるか、セカンダリセルグループが設定されるとすれば、各サービングセルに対して、少なくとも所定の数のトランスポートブロックに対して、トランスポートブロックのコードブロックのデコーディング失敗に応じて、少なくとも所定の範囲に相当する受信したソフトチャネルビットを保持する。
【０２８０】
ＬＡＡ端末は、２つ以上の無線アクセス技術（ＲＡＴ）に対応する機能をサポートしてもよい。
【０２８１】
ＬＡＡ端末は、２つ以上のオペレーティングバンドをサポートする。つまり、ＬＡＡ端末は、ＣＡに関する機能をサポートしている。
【０２８２】
また、ＬＡＡ端末は、ＴＤＤ（Time Division Duplex）やＨＤ−ＦＤＤ（Half Duplex Frequency Division Duplex）をサポートしてもよい。また、ＬＡＡ端末は、ＦＤ−ＦＤ
Ｄ（Full Duplex FDD）をサポートしてもよい。ＬＡＡ端末は、どのデュプレックスモー
ド／フレーム構造タイプをサポートしているかを、能力情報などの上位層シグナリングを介して示してもよい。
【０２８３】
また、ＬＡＡ端末は、カテゴリーＸ１（Ｘ１は所定の値）のＬＴＥ端末であってもよい。つまり、ＬＡＡ端末は、１つのＴＴＩで送信／受信可能なトランスポートブロックの最大ビット数が拡張されてもよい。
【０２８４】
また、ＬＲ端末は、カテゴリーＸ２（Ｘ２は所定の値）のＬＴＥ端末であってもよい。つまり、ＬＲ端末は、１つのＴＴＩで送信／受信可能なトランスポートブロックの最大ビット数が拡張または縮減されてもよい。
【０２８５】
また、ＮＲ端末は、カテゴリーＸ３（Ｘ３は所定の値）のＬＴＥ端末であってもよい。
つまり、ＮＲ端末は、１つのＴＴＩで送信／受信可能なトランスポートブロックの最大ビット数が拡張または縮減されてもよい。
【０２８６】
なお、本発明の各実施形態において、ＴＴＩとサブフレームは個別に定義されてもよい。
【０２８７】
また、ＬＡＡ端末は、複数のデュプレックスモード／フレーム構造タイプをサポートしてもよい。
【０２８８】
フレーム構造タイプ１は、ＦＤ−ＦＤＤとＨＤ−ＦＤＤの両方に対して適用できる。ＦＤＤでは、各１０ｍｓ間隔で、下りリンク送信と上りリンク送信のそれぞれに対して１０サブフレームずつ利用できる。また、上りリンク送信と下りリンク送信は、周波数領域で分けられる。ＨＤ−ＦＤＤオペレーションにおいて、端末装置は、同時に送信と受信はできないが、ＦＤ−ＦＤＤオペレーションにおいてはその制限がない。
【０２８９】
周波数ホッピングや使用周波数が変更された際の、再チューニング時間（チューニングに必要な時間（サブフレーム数またはシンボル数））は上位層シグナリングによって設定されてもよい。
【０２９０】
例えば、ＬＡＡ端末において、サポートする下りリンク送信モード（ＰＤＳＣＨ送信モード）の数は削減されてもよい。つまり、基地局装置は、ＬＡＡ端末から能力情報として、下りリンク送信モードの数、または、そのＬＡＡ端末がサポートしている下りリンク送信モードが示された場合には、その能力情報に基づいて、下りリンク送信モードを設定する。なお、ＬＡＡ端末は、自身がサポートしてない下りリンク送信モードに対するパラメータが設定された場合、その設定を無視してもよい。つまり、ＬＡＡ端末は、サポートしていない下りリンク送信モードに対する処理を行なわなくてもよい。ここで、下りリンク送信モードは、設定された下りリンク送信モードやＲＮＴＩの種類、ＤＣＩフォーマット、サーチスペースに基づいて、ＰＤＣＣＨ／ＥＰＤＣＣＨに対応するＰＤＳＣＨの送信方式を示すために用いられる。端末装置は、それらの情報に基づいて、ＰＤＳＣＨが、アンテナポート０で送信されるのか、送信ダイバーシティで送信されるのか、複数のアンテナポートで送信されるのか、などが分かる。端末装置は、それらの情報に基づいて、受信処理を適切に行なうことができる。同じ種類のＤＣＩフォーマットからＰＤＳＣＨのリソース割り当てに関するＤＣＩを検出しても、下りリンク送信モードやＲＮＴＩの種類が異なる場合には、そのＰＤＳＣＨは、同じ送信方式で送信されるとは限らない。
【０２９１】
端末装置が、ＰＵＣＣＨとＰＵＳＣＨの同時送信に関する機能をサポートしている場合、且つ、ＰＵＳＣＨの繰り返し送信および／またはＰＵＣＣＨの繰り返し送信に関する機能をサポートしている場合には、ＰＵＳＣＨの送信が生じたタイミングまたはＰＵＣＣＨの送信が生じたタイミングにおいて、ＰＵＣＣＨとＰＵＳＣＨは、所定の回数、繰り返し送信が行なわれてもよい。つまり、同じタイミング（つまり、同じサブフレーム）でＰＵＣＣＨとＰＵＳＣＨの同時送信を行なってもよい。
【０２９２】
このような場合において、ＰＵＣＣＨには、ＣＳＩレポートやＨＡＲＱ−ＡＣＫ、ＳＲが含まれてもよい。
【０２９３】
ＰＣｅｌｌでは、すべての信号が送受信可能であるが、ＳＣｅｌｌでは、送受信できない信号があってもよい。例えば、ＰＵＣＣＨは、ＰＣｅｌｌでのみ送信される。また、ＰＲＡＣＨは、セル間で、複数のＴＡＧ（Timing Advance Group）が設定されない限り、ＰＣｅｌｌでのみ送信される。また、ＰＢＣＨは、ＰＣｅｌｌでのみ送信される。また、ＭＩＢは、ＰＣｅｌｌでのみ送信される。しかし、端末装置に、ＳＣｅｌｌでＰＵＣＣＨや
ＭＩＢを送信する機能がサポートされている場合には、基地局装置は、その端末装置に対して、ＰＵＣＣＨやＭＩＢをＳＣｅｌｌ（ＳＣｅｌｌに対応する周波数）で送信することを指示してもよい。つまり、端末装置がその機能をサポートしている場合には、基地局装置は、その端末装置に対して、ＰＵＣＣＨやＭＩＢをＳＣｅｌｌで送信するためのパラメータを設定してもよい。
【０２９４】
ＰＣｅｌｌでは、ＲＬＦ（Radio Link Failure）が検出される。ＳＣｅｌｌでは、ＲＬＦが検出される条件を満たしてもＲＬＦが検出されたと認識しない。ＰＣｅｌｌの下位層において、ＲＬＦの条件を満たした場合、ＰＣｅｌｌの下位層は、ＰＣｅｌｌの上位層へＲＬＦの条件が満たされたことを通知する。ＰＣｅｌｌでは、ＳＰＳ（Semi-Persistent Scheduling）やＤＲＸ（Discontinuous Transmission）を行なってもよい。ＳＣｅｌｌでは、ＰＣｅｌｌと同じＤＲＸを行なってもよい。ＳＣｅｌｌにおいて、ＭＡＣの設定に関する情報／パラメータは、基本的に、同じセルグループのＰＣｅｌｌと共有している。一部のパラメータ（例えば、ｓＴＡＧ−Ｉｄ）は、ＳＣｅｌｌ毎に設定されてもよい。一部のタイマーやカウンタが、ＰＣｅｌｌに対してのみ適用されてもよい。ＳＣｅｌｌに対してのみ、適用されるタイマーやカウンタが設定されてもよい。
【０２９５】
図４は、本実施形態に係る基地局装置２のブロック構成の一例を示す概略図である。基地局装置２は、上位層（上位層制御情報通知部）５０１、制御部（基地局制御部）５０２、コードワード生成部５０３、下りリンクサブフレーム生成部５０４、ＯＦＤＭ信号送信部（下りリンク送信部）５０６、送信アンテナ（基地局送信アンテナ）５０７、受信アンテナ（基地局受信アンテナ）５０８、ＳＣ−ＦＤＭＡ信号受信部（チャネル状態測定部および／またはＣＳＩ受信部）５０９、上りリンクサブフレーム処理部５１０を有する。下りリンクサブフレーム生成部５０４は、下りリンク参照信号生成部５０５を有する。また、上りリンクサブフレーム処理部５１０は、上りリンク制御情報抽出部（ＣＳＩ取得部／ＨＡＲＱ−ＡＣＫ取得部／ＳＲ取得部）５１１を有する。なお、ＳＣ−ＦＤＭＡ信号受信部５０９は、受信信号やＣＣＡ、干渉雑音電力の測定部も兼ねている。なお、ＳＣ−ＦＤＭＡ信号受信部は、端末装置がＯＦＤＭ信号の送信をサポートしている場合には、ＯＦＤＭ信号受信部であってもよいし、ＯＦＤＭ信号受信部を含んでもよい。なお、下りリンクサブフレーム生成部５０４は、下りリンクＴＴＩ生成部であってもよいし、下りリンクＴＴＩ生成部を含んでもよい。下りリンクＴＴＩ生成部は、下りリンクＴＴＩを構成する物理チャネルおよび／または物理信号の生成部であってもよい。つまり、下りリンクＴＴＩ生成部を含む下りリンクサブフレーム生成部５０４は、送信する物理チャネルおよび／または物理信号に対する系列を生成する部を含んでもよい。また、下りリンクＴＴＩ生成部を含む下りリンクサブフレーム生成部５０４は、生成した系列を物理リソースへマッピングする部を含んでもよい。なお、上りリンクについても同様であってもよい。なお、図示しないが、基地局装置には、ＴＡコマンドを送信する送信部が含まれてもよい。また、基地局装置には、端末装置から報告された受信と送信間の時間差に関する測定結果を受信する受信部が含まれてもよい。また、基地局装置は、サイドリンクを行なうことがサポートされている場合には、サイドリンクサブフレームおよび／またはサイドリンクＴＴＩ（つまり、サイドリンク信号）を生成し、送信するためのサイドリンク送信部、および、サイドリンク信号を受信し、復調復号を行なうサイドリンク受信部が含まれてもよい。
【０２９６】
図５は、本実施形態に係る端末装置１のブロック構成の一例を示す概略図である。端末装置１は、受信アンテナ（端末受信アンテナ）６０１、ＯＦＤＭ信号受信部（下りリンク受信部）６０２、下りリンクサブフレーム処理部６０３、トランスポートブロック抽出部（データ抽出部）６０５、制御部（端末制御部）６０６、上位層（上位層制御情報取得部）６０７、チャネル状態測定部（ＣＳＩ生成部）６０８、上りリンクサブフレーム生成部６０９、ＳＣ−ＦＤＭＡ信号送信部（ＵＣＩ送信部）６１１および６１２、送信アンテナ（端末送信アンテナ）６１３および６１４を有する。下りリンクサブフレーム処理部６０
３は、下りリンク参照信号抽出部６０４を有する。なお、下りリンクサブフレーム処理部６０３は、下りリンクＴＴＩ処理部であってもよい。また、上りリンクサブフレーム生成部６０９は、上りリンク制御情報生成部（ＵＣＩ生成部）６１０を有する。なお、ＯＦＤＭ信号受信部６０２は、受信信号やＣＣＡ、干渉雑音電力の測定部も兼ねている。つまり、ＯＦＤＭ信号受信部６０２において、ＲＲＭ測定が行なわれてもよい。端末装置がＯＦＤＭ信号の送信をサポートしている場合には、ＳＣ−ＦＤＭＡ信号送信部は、ＯＦＤＭ信号送信部であってもよいし、ＯＦＤＭ信号送信部を含んでもよい。なお、上りリンクサブフレーム生成部６０９は、上りリンクＴＴＩ生成部であってもよいし、上りリンクＴＴＩ生成部を含んでもよい。上りリンクＴＴＩ生成部は、上りリンクＴＴＩを構成する物理チャネルおよび／または物理信号の生成部であってもよい。つまり、上りリンクＴＴＩ生成部を含む上りリンクサブフレーム生成部６０９は、送信する物理チャネルおよび／または物理信号に対する系列を生成する部を含んでもよい。また、上りリンクＴＴＩ生成部を含む上りリンクサブフレーム生成部６０９は、生成した系列を物理リソースへマッピングする部を含んでもよい。また、端末装置は、上りリンク信号の送信電力を制御／セットするための電力制御部を含んでもよい。なお、図示しないが、端末装置には、端末装置の受信と送信間の時間差を測定するための測定部が含まれてもよい。また、端末装置には、時間差の測定結果を報告する送信部が含まれてもよい。
【０２９７】
また、端末装置において、サイドリンク通信、および／または、サイドリンク発見に関する能力をサポートしている場合には、下りリンクサブフレーム処理部６０３は、サイドリンクサブフレーム処理部、および／または、サイドリンクＴＴＩ処理部を含んでもよい。また、下りリンクサブフレーム処理部６０３には、サイドリンクサブフレーム、および／または、サイドリンクＴＴＩを処理する能力が備わっていてもよい。つまり、サイドリンクＴＴＩを受信する能力が備わってもよい。
【０２９８】
また、端末装置において、サイドリンク通信、および／または、サイドリンク発見に関する能力をサポートしている場合には、上りリンクサブフレーム生成部６０９は、サイドリンクサブフレーム生成部、および／または、サイドリンクＴＴＩ生成部を含んでもよい。また、上りリンクサブフレーム生成部６０９には、サイドリンクサブフレーム、および／または、サイドリンクＴＴＩを生成する能力が備わっていてもよい。ここで、サイドリンクサブフレーム、および／または、サイドリンクＴＴＩを生成する能力とは、サイドリンク物理チャネル、および／または、サイドリンク物理信号に対する系列を生成する能力を含んでもよいし、生成した系列を物理リソースへマッピングする能力を含んでもよい。
【０２９９】
図４と図５のそれぞれにおいて、上位層は、ＭＡＣ（Medium Access Control）層やＲ
ＬＣ（Radio Link Control）層、ＰＤＣＰ（Packet Data Convergence Protocol）層、ＲＲＣ（Radio Resource Control）層を含んでもよい。
【０３００】
ＲＬＣ層は、上位層へＴＭ（Transparent Mode）データ伝送、ＵＭ（Unacknowledged Mode）データ伝送、上位層のＰＤＵ（Packet Data Unit）の伝送が成功したことを示すイ
ンディケーションを含むＡＭ（Acknowledged Mode）データ伝送を行なう。また、下位層
へはデータ伝送と、送信機会において送信されたＲＬＣ  ＰＤＵの全サイズとともに、送信機会の通知を行なう。
【０３０１】
ＲＬＣ層は、上位層ＰＤＵの伝送に関する機能、（ＡＭデータ伝送に対してだけ）ＡＲＱ（Automatic Repeat reQuest）を介したエラー補正に関する機能、（ＵＭとＡＭデータ伝送に対してだけ）ＲＬＣ  ＳＤＵ（Service Data Unit）の結合／分割／再構築に関す
る機能、（ＡＭデータ伝送に対して）ＲＬＣデータＰＤＵの再分割に関する機能、（ＡＭデータ伝送に対してだけ）ＲＬＣデータＰＤＵの並び替えに関する機能、（ＵＭとＡＭデータ伝送に対してだけ）重複検出に関する機能、（ＵＭとＡＭデータ伝送に対してだけ）
ＲＬＣ  ＳＤＵの破棄に関する機能、ＲＬＣの再確立に関する機能、（ＡＭデータ伝送に対してだけ）プロトコルエラー検出に関する機能をサポートしている。
【０３０２】
まず、図４および図５を用いて、下りリンクデータの送受信の流れについて説明する。基地局装置２において、制御部５０２は、下りリンクにおける変調方式および符号化率などを示すＭＣＳ（Modulation and Coding Scheme）、データ送信に用いるＲＢを示す下りリンクリソース割り当て、ＨＡＲＱの制御に用いる情報（リダンダンシーバージョン、ＨＡＲＱプロセス番号、ＮＤＩ（New Data Indicator））を保持し、これらに基づいてコードワード生成部５０３や下りリンクサブフレーム生成部５０４を制御する。上位層５０１から送られてくる下りリンクデータ（下りリンクトランスポートブロック、ＤＬ−ＳＣＨデータ、ＤＬ−ＳＣＨトランスポートブロックとも称す）は、コードワード生成部５０３において、制御部５０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部５０４では、制御部５０２の指示により、下りリンクサブフレームが生成される。まず、コードワード生成部５０３において生成されたコードワードは、ＰＳＫ（Phase Shift Keying）変調やＱＡＭ（Quadrature Amplitude Modulation）変調などの変調処理により、変調シ
ンボル系列に変換される。また、変調シンボル系列は、一部のＲＢ内のＲＥにマッピングされ、プレコーディング処理によりアンテナポート毎の下りリンクサブフレームが生成される。このとき、上位層５０１から送られてくる送信データ系列は、上位層における制御情報（例えば専用（個別）ＲＲＣ（Radio Resource Control）シグナリング）である上位層制御情報を含む。また、下りリンク参照信号生成部５０５では、下りリンク参照信号が生成される。下りリンクサブフレーム生成部５０４は、制御部５０２の指示により、下りリンク参照信号を下りリンクサブフレーム内のＲＥにマッピングする。下りリンクサブフレーム生成部５０４で生成された下りリンクサブフレームは、ＯＦＤＭ信号送信部５０６においてＯＦＤＭ信号に変調され、送信アンテナ５０７を介して送信される。なお、ここではＯＦＤＭ信号送信部５０６と送信アンテナ５０７を一つずつ有する構成を例示しているが、複数のアンテナポートを用いて下りリンクサブフレームを送信する場合は、ＯＦＤＭ信号送信部５０６と送信アンテナ５０７とを複数有する構成であってもよい。また、下りリンクサブフレーム生成部５０４は、ＰＤＣＣＨやＥＰＤＣＣＨまたはＰＤＣＣＨやＥＰＤＣＣＨに相当する制御チャネル／共用チャネルなどの物理層の下りリンク制御チャネルを生成して下りリンクサブフレーム内のＲＥにマッピングする能力も有することができる。複数の基地局装置は、それぞれ個別の下りリンクサブフレームを送信する。
【０３０３】
端末装置１では、受信アンテナ６０１を介して、ＯＦＤＭ信号受信部６０２においてＯＦＤＭ信号が受信され、ＯＦＤＭ復調処理が施される。
【０３０４】
下りリンクサブフレーム処理部６０３は、まずＰＤＣＣＨやＥＰＤＣＣＨまたはＰＤＣＣＨやＥＰＤＣＣＨに相当する制御チャネルなどの物理層の下りリンク制御チャネルを検出する。より具体的には、下りリンクサブフレーム処理部６０３は、ＰＤＣＣＨやＥＰＤＣＣＨまたはＰＤＣＣＨやＥＰＤＣＣＨに相当する制御チャネル／共用チャネルが割り当てられる領域においてＰＤＣＣＨやＥＰＤＣＣＨまたはＰＤＣＣＨやＥＰＤＣＣＨに相当する制御チャネルが送信されたものとして復号し、予め付加されているＣＲＣ（Cyclic Redundancy Check）ビットを確認する（ブラインド復号）。すなわち、下りリンクサブフ
レーム処理部６０３は、ＰＤＣＣＨやＥＰＤＣＣＨまたはＰＤＣＣＨやＥＰＤＣＣＨに相当する制御チャネル／共用チャネルをモニタリングする。ＣＲＣビットが予め基地局装置から割り当てられたＩＤ（Ｃ−ＲＮＴＩ（Cell-Radio Network Temporary Identifier）
、ＳＰＳ−Ｃ−ＲＮＴＩ（Semi-Persistent Scheduling-C-RNTI）など１つの端末に対し
て１つ割り当てられる端末固有識別子（UEID）、あるいはＴｅｍｐｏｒａｌｙ  Ｃ−ＲＮＴＩ）と一致する場合、下りリンクサブフレーム処理部６０３は、ＰＤＣＣＨあるいはＥ
ＰＤＣＣＨまたはＰＤＣＣＨやＥＰＤＣＣＨに相当する制御チャネル／共用チャネルを検出できたものと認識し、検出したＰＤＣＣＨあるいはＥＰＤＣＣＨまたはＰＤＣＣＨやＥＰＤＣＣＨに相当する制御チャネルに含まれる制御情報を用いてＰＤＳＣＨまたはＰＤＳＣＨに相当するデータチャネル／共用チャネルを取り出す。
【０３０５】
制御部６０６は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部６０３やトランスポートブロック抽出部６０５などを制御する。より具体的には、制御部６０６は、下りリンクサブフレーム生成部５０４におけるＲＥマッピング処理や変調処理に対応するＲＥデマッピング処理や復調処理などを行なうように制御する。受信した下りリンクサブフレームから取り出されたＰＤＳＣＨは、トランスポートブロック抽出部６０５に送られる。また、下りリンクサブフレーム処理部６０３内の下りリンク参照信号抽出部６０４は、下りリンクサブフレームからＤＬＲＳを取り出す。
【０３０６】
トランスポートブロック抽出部６０５では、コードワード生成部５０３におけるレートマッチング処理、誤り訂正符号化に対応するレートマッチング処理、誤り訂正復号化などが施され、トランスポートブロックが抽出され、上位層６０７に送られる。トランスポートブロックには、上位層制御情報が含まれており、上位層６０７は上位層制御情報に基づいて制御部６０６に必要な物理層パラメータを知らせる。なお、複数の基地局装置２は、それぞれ個別の下りリンクサブフレームを送信しており、端末装置１ではこれらを受信するため、上述の処理を複数の基地局装置２毎の下りリンクサブフレームに対して、それぞれ行うようにしてもよい。このとき、端末装置１は複数の下りリンクサブフレームが複数の基地局装置２から送信されていると認識してもよいし、認識しなくてもよい。認識しない場合、端末装置１は、単に複数のセルにおいて複数の下りリンクサブフレームが送信されていると認識するだけでもよい。また、トランスポートブロック抽出部６０５では、トランスポートブロックが正しく検出できたか否かを判定し、判定結果は制御部６０６に送られる。
【０３０７】
ここで、トランスポートブロック抽出部６０５には、バッファ部（ソフトバッファ部）を含んでもよい。バッファ部において、抽出したトランスポートブロックの情報を一時的に記憶することができる。例えば、トランスポートブロック抽出部６０５は、同じトランスポートブロック（再送されたトランスポートブロック）を受信した場合、このトランスポートブロックに対するデータの復号が成功していないとすれば、バッファ部に一時的に記憶したこのトランスポートブロックに対するデータと新たに受信したデータを結合（合成）し、結合したデータを復号しようと試みる。バッファ部は、一時的に記憶したデータが必要なくなれば、もしくは、所定の条件を満たせば、そのデータをフラッシュする。フラッシュするデータの条件は、データに対応するトランスポートブロックの種類によって異なる。バッファ部は、データの種類毎に、用意されてもよい。例えば、バッファ部として、メッセージ３バッファやＨＡＲＱバッファが用意されてもよいし、Ｌ１／Ｌ２／Ｌ３などレイヤ毎に用意されてもよい。なお、情報／データをフラッシュするとは、情報やデータが格納されたバッファをフラッシュすることを含む。
【０３０８】
次に、上りリンク信号の送受信の流れについて説明する。端末装置１では制御部６０６の指示の下で、下りリンク参照信号抽出部６０４で抽出された下りリンク参照信号がチャネル状態測定部６０８に送られ、チャネル状態測定部６０８においてチャネル状態および／または干渉が測定され、さらに測定されたチャネル状態および／または干渉に基づいて、ＣＳＩが算出される。また、制御部６０６は、トランスポートブロックが正しく検出できたか否かの判定結果に基づいて、上りリンク制御情報生成部６１０にＨＡＲＱ−ＡＣＫ（ＤＴＸ（未送信）、ＡＣＫ（検出成功）またはＮＡＣＫ（検出失敗））の生成および下
りリンクサブフレームへのマッピングを指示する。端末装置１は、これらの処理を複数のセル毎の下りリンクサブフレームに対して、それぞれ行う。上りリンク制御情報生成部６１０では、算出されたＣＳＩおよび／またはＨＡＲＱ−ＡＣＫを含むＰＵＣＣＨまたはＰＵＣＣＨに相当する制御チャネル／共用チャネルが生成される。上りリンクサブフレーム生成部６０９では、上位層６０７から送られる上りリンクデータを含むＰＵＳＣＨまたはＰＵＳＣＨに相当するデータチャネル／共用チャネルと、上りリンク制御情報生成部６１０において生成されるＰＵＣＣＨまたは制御チャネルとが上りリンクサブフレーム内のＲＢにマッピングされ、上りリンクサブフレームが生成される。
【０３０９】
受信アンテナ５０８を介して、ＳＣ−ＦＤＭＡ信号受信部５０９においてＳＣ−ＦＤＭＡ信号が受信され、ＳＣ−ＦＤＭＡ復調処理が施される。上りリンクサブフレーム処理部５１０では、制御部５０２の指示により、ＰＵＣＣＨがマッピングされたＲＢを抽出し、上りリンク制御情報抽出部５１１においてＰＵＣＣＨに含まれるＣＳＩを抽出する。抽出されたＣＳＩは制御部５０２に送られる。ＣＳＩは、制御部５０２による下りリンク送信パラメータ（ＭＣＳ、下りリンクリソース割り当て、ＨＡＲＱなど）の制御に用いられる。なお、ＳＣ−ＦＤＭＡ信号受信部は、ＯＦＤＭ信号受信部であってもよい。また、ＳＣ−ＦＤＭＡ信号受信部は、ＯＦＤＭ信号受信部を含んでもよい。
【０３１０】
基地局装置は、パワーヘッドルームレポートから、端末装置が設定した最大出力電力ＰＣＭＡＸを想定し、端末装置から受信した物理上りリンクチャネルに基づいて、各物理上りリンクチャネルに対する電力の上限値を想定する。基地局装置は、それらの想定に基づいて、物理上りリンクチャネルに対する送信電力制御コマンドの値を決定し、下りリンク制御情報フォーマットを伴うＰＤＣＣＨを用いて、端末装置に送信する。そうすることによって、端末装置から送信される物理上りリンクチャネル／信号（または上りリンク物理チャネル／物理信号）の送信電力の電力調整が行なわれる。
【０３１１】
基地局装置は、端末装置に対してＰＤＣＣＨ（ＥＰＤＣＣＨ）／ＰＤＳＣＨ（またはこれらに相当するＬＲセルの共用チャネル／制御チャネル）を送信する場合、ＰＢＣＨ（またはＰＢＣＨに相当する報知チャネル）のリソースに割り当てないようにＰＤＣＣＨ／ＰＤＳＣＨのリソース割り当てを行なう。
【０３１２】
ＰＤＳＣＨは、端末装置に対するＳＩＢ／ＲＡＲ／ページング／ユニキャストのそれぞれに関するメッセージ／情報を伝送するために用いられてもよい。
【０３１３】
ＰＵＳＣＨに対する周波数ホッピングは、グラントの種類に応じて個別に設定されてもよい。例えば、ダイナミックスケジュールグラント、セミパーシステントグラント、ＲＡＲグラントのそれぞれに対応するＰＵＳＣＨの周波数ホッピングに用いられるパラメータの値は個別に設定されてもよい。それらのパラメータは、上りリンクグラントで示されなくてもよい。また、それらのパラメータは、システムインフォメーションを含む上位層シグナリングを介して設定されてもよい。
【０３１４】
上述した種々のパラメータは物理チャネル毎に設定されてもよい。また、上述した種々のパラメータは端末装置毎に設定されてもよい。また、上述したパラメータは端末装置間で共通に設定されてもよい。ここで、上述した種々のパラメータはシステムインフォメーションを用いて設定されてもよい。また、上述した種々のパラメータは上位層シグナリング（ＲＲＣシグナリング、ＭＡＣ  ＣＥ）を用いて設定されてもよい。また、上述した種々のパラメータはＰＤＣＣＨ／ＥＰＤＣＣＨを用いて設定されてもよい。上述した種々のパラメータはブロードキャストインフォメーションとして設定されてもよい。また、上述した種々のパラメータはユニキャストインフォメーションとして設定されてもよい。
【０３１５】
なお、上述した実施形態では、各ＰＵＳＣＨ送信に要求される電力値は、上位層により設定されるパラメータ、リソースアサインメントによってそのＰＵＳＣＨ送信に割り当てられたＰＲＢ数によって決まる調整値、下りリンクパスロスおよびそれに乗算される係数、ＵＣＩに適用されるＭＣＳのオフセットを示すパラメータによって決まる調整値、ＴＰＣコマンドによって得られる補正値などに基づいて算出されるものとして説明した。また、各ＰＵＣＣＨ送信に要求される電力値は、上位層により設定されるパラメータ、下りリンクパスロス、そのＰＵＣＣＨで送信されるＵＣＩによって決まる調整値、ＰＵＣＣＨフォーマットによって決まる調整値、そのＰＵＣＣＨの送信に用いられるアンテナポート数によって決まる調整値、ＴＰＣコマンドに基づく値などに基づいて算出されるものとして説明した。しかしながら、これに限るものではない。要求される電力値に対して上限値を設け、上記パラメータに基づく値と上限値（例えば、サービングセルｃにおける最大出力電力値であるＰＣＭＡＸ，ｃ）との間の最小値を、要求される電力値として用いることもできる。
【０３１６】
本発明に係る基地局装置および端末装置で動作するプログラムは、本発明に係る上記実施形態の機能を実現するように、ＣＰＵ（Central Processing Unit）等を制御するプロ
グラム（コンピュータを機能させるプログラム）であってもよい。そして、これら装置で取り扱われる情報は、その処理時に一時的にＲＡＭ（Random Access Memory）に蓄積され、その後、Ｆｌａｓｈ  ＲＯＭ（Read Only Memory）などの各種ＲＯＭやＨＤＤ（Hard Disk Drive）に格納され、必要に応じてＣＰＵによって読み出し、修正・書き込みが行な
われる。
【０３１７】
なお、上述した実施形態における端末装置および／または基地局装置の一部をコンピュータで実現するようにしてもよい。その場合、この制御機能を実現するためのプログラムをコンピュータが読み取り可能な記録媒体に記録して、この記録媒体に記録されたプログラムをコンピュータシステムに読み込ませ、実行することによって実現してもよい。
【０３１８】
なお、「コンピュータシステム」とは、端末装置または基地局装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことを含んでもよい。
【０３１９】
さらに、「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また、「コンピュータ読み取り可能な記録媒体」とは、外部メモリであってもよい。また、上記プログラムは、前述した機能の一部を実現するためのものであってもよく、さらに前述した機能をコンピュータシステムにすでに記録されているプログラムとの組み合わせで実現できるものであってもよい。
【０３２０】
また、上述した実施形態における基地局装置は、複数の装置から構成される集合体（装置グループ）として実現することもできる。装置グループを構成する装置の各々は、上述した実施形態に関わる基地局装置の各機能または各機能ブロックの一部、または、全部を備えてもよい。装置グループとして、基地局装置の一通りの各機能または各機能ブロックを有していればよい。また、上述した実施形態に関わる端末装置は、集合体としての基地局装置と通信することも可能である。
【０３２１】
また、上述した実施形態における基地局装置は、ＥＵＴＲＡＮ（Evolved Universal Te
rrestrial Radio Access Network）であってもよい。また、上述した実施形態における基地局装置２は、ｅＮｏｄｅＢに対する上位ノードの機能の一部または全部を有してもよい。
【０３２２】
また、上述した実施形態における端末装置、基地局装置の一部、または、全部を典型的には集積回路であるＬＳＩとして実現してもよいし、チップセットとして実現してもよい。端末装置、基地局装置の各機能ブロックは個別にチップ化してもよいし、一部、又は全部を集積してチップ化してもよい。また、集積回路化の手法はＬＳＩに限らず専用回路、または、汎用プロセッサで実現してもよい。また、半導体技術の進歩によりＬＳＩに代替する集積回路化の技術が出現した場合、当該技術による集積回路を用いることも可能である。
【０３２３】
また、上述した実施形態では、端末装置もしくは通信装置の一例としてセルラー移動局装置（携帯電話、携帯端末）を記載したが、本願発明は、これに限定されるものではなく、屋内外に設置される据え置き型、または非可動型の電子機器、たとえば、ＡＶ機器、キッチン機器（例えば、冷蔵庫や電子レンジなど）、掃除・洗濯機器、空調機器、オフィス機器、自動販売機、カーナビゲーションなどの車載搭載機、その他生活機器などの端末装置もしくは通信装置にも適用できる。
【０３２４】
以上のことから、本発明は、以下の特徴を有する。
【０３２５】
（１）本発明の一態様による端末装置は、第１の参照信号に対する第１の系列を、第１のパラメータに基づいて生成し、第２の参照信号に対する第２の系列を生成する系列生成部と、前記系列を物理リソースへマッピングするマッピング部と、を備え、前記系列生成部は、端末装置の速度が、第１の閾値を超えない場合には、前記第１のパラメータを第１の値に設定し、前記端末装置の速度が、前記第１の閾値を超える場合には、前記第１のパラメータを第２の値に設定し、前記マッピング部は、前記第１の参照信号に対する系列に基づいて、前記第２の系列の物理リソースへのマッピングを行なう。
【０３２６】
（２）本発明の一態様による端末装置は、上記の端末装置であって、前記系列生成部は、前記第１の参照信号に対する系列に基づいて、前記第２の系列を生成する。
【０３２７】
（３）本発明の一態様による端末装置は、上記の端末装置であって、前記系列生成部は、前記第１の参照信号に対する系列に基づいて、前記第２の系列を生成するかどうかを決定する。
【０３２８】
（４）本発明の一態様による方法は、上記の端末装置であって、前記端末装置の速度が、前記第１の閾値を超えない場合には、前記第２の系列を生成せず、前記端末装置の速度が、前記第１の閾値を超える場合には、前記第２の系列を生成する。
【０３２９】
（５）本発明の一態様による端末装置は、上記の端末装置であって、前記マッピング部は、前記第１の参照信号に対する前記第１の系列が、第３の系列である場合、前記第２の系列の物理リソースへのマッピングに対して第１のマッピングを適用し、前記第１の参照信号に対する前記第１の系列が、第４の系列である場合、前記第２の系列の物理リソースへのマッピングに対して第２のマッピングを適用する。
【０３３０】
（６）本発明の一態様による端末装置は、上記の端末装置であって、前記系列生成部は、前記端末装置の速度が、前記第１の閾値よりも高い第２の閾値を超える場合には、前記第１のパラメータを第３の値に設定し、前記マッピング部は、前記第１の参照信号に対する系列が、第５の系列である場合、前記第２の系列の物理リソースへのマッピングに対し
て第３のマッピングを適用する。
【０３３１】
（７）本発明の一態様による端末装置は、上記の端末装置であって、前記第１の閾値、前記第１の値、前記第２の値、前記第１のマッピング、および／または、前記第２のマッピングは、システムインフォメーションブロックに含まれる情報（パラメータ）によって示される。
【０３３２】
（８）本発明の一態様による端末装置は、上記の端末装置であって、前記システムインフォメーションブロックに、前記第１の閾値、前記第１の値、前記第２の値、前記第１のマッピング、および／または、前記第２のマッピングに関するパラメータが含まれていない場合、前記第１の閾値、前記第１の値、前記第２の値、前記第１のマッピング、および／または、前記第２のマッピングは、前記端末装置、または、外部メモリに設定される値を用い、システムインフォメーションブロックに前記第１の閾値、前記第１の値、前記第２の値、前記第１のマッピング、および／または、前記第２のマッピングに関するパラメータが含まれている場合、前記第１の閾値、前記第１の値、前記第２の値、前記第１のマッピング、および／または、前記第２のマッピングは前記パラメータによって与えられる。
【０３３３】
（９）本発明の一態様による端末装置は、上記の端末装置であって、時間領域において、前記第１の参照信号は、ＴＴＩ（Transmission Time Interval）内の先頭に配置される。
【０３３４】
（１０）本発明の一態様による端末装置は、上記の端末装置であって、前記第１の参照信号は、ＰＳＳＳ（Primary Sidelink Synchronization Signal）とＳＳＳＳ（Secondary
Sidelink Synchronization Signal）であり、前記第２の参照信号は、ＤＭＲＳ（Demodulation Reference Signal）である。
【０３３５】
（１１）本発明の一態様による端末装置は、上記の端末装置であって、前記第１の参照信号は、ＰＳＢＣＨに関連するＤＭＲＳ（Demodulation Reference Signal）であり、前
記第２の参照信号は、ＰＳＣＣＨおよび／またはＰＳＳＣＨに関連するＤＭＲＳである。
【０３３６】
（１２）本発明の一態様による端末装置は、上記の端末装置であって、前記第１の参照信号は、ＰＲＡＣＨ（Physical Random Access Channel）であり、前記第２の参照信号は、ＤＭＲＳ（Demodulation Reference Signal）である。
【０３３７】
（１３）本発明の一態様による方法は、第１の参照信号に対する第１の系列を、第１のパラメータに基づいて生成するステップと、第２の参照信号に対する第２の系列を生成するステップと、前記系列を物理リソースへマッピングするステップと、端末装置の速度が、第１の閾値を超えない場合には、前記第１のパラメータを第１の値に設定するステップと、前記端末装置の速度が、前記第１の閾値を超える場合には、前記第１のパラメータを第２の値に設定するステップと、前記第１の参照信号に対する系列に基づいて、前記第２の系列の物理リソースへのマッピングを行なうステップと、を含む。
【０３３８】
（１４）本発明の一態様による端末装置は、第１のリソースプールリスト、および、第２のリソースプールリストに基づいて、第１のサイドリンク物理チャネル、および、前記第１のサイドリンク物理チャネルに関連するＤＭＲＳ（Demodulation Reference Signal
）を送信する送信部と、端末装置の速度に基づいて、前記第１のリソースプールリスト、または、前記第２のリソースプールリストを選択するリソース設定部を備え、前記リソース設定部は、前記端末装置の速度が、第１の閾値を超えない場合には、前記第１のリソースプールリストから第１のリソースプールを選択し、前記端末装置の速度が、前記第１の
閾値を超える場合には、前記第２のリソースプールリストから第２のリソースプールを選択し、前記第１のリソースプールのＴＴＩ（Transmission Time Interval）内の前記第１のサイドリンク物理チャネルのマッピングおよび／または前記ＤＭＲＳのマッピングは、前記第２のリソースプールのＴＴＩ内の前記第１のサイドリンク物理チャネルのマッピングおよび／または前記ＤＭＲＳのマッピングと異なる。
【０３３９】
（１５）本発明の一態様による端末装置は、上記の端末装置であって、前記端末装置がアウトオブカバレッジである場合、前記第１のリソースプールリスト、および、前記第２のリソースプールリストは、前記端末装置の事前設定に基づいて与えられる。
【０３４０】
（１６）本発明の一態様による端末装置は、上記の端末装置であって、前記端末装置がインカバレッジである場合、前記第１のリソースプールリスト、および、前記第２のリソースプールリストは、受信したＳＩＢ（System Information Block）に基づいて与えられる。
【０３４１】
（１７）本発明の一態様による端末装置は、上記の端末装置であって、第３のリソースプールリスト、および、第４のリソースプールリストに基づいて、前記第１のサイドリンク物理チャネル、および、前記ＤＭＲＳを受信する受信部と、を備え、前記受信部は、端末装置がアウトオブカバレッジである場合には、前記端末装置の事前設定に含まれる、前記第３のリソースプールリスト、および、前記第４のリソースプールリストに基づく、前記第１のサイドリンク物理チャネルおよび前記ＤＭＲＳを受信し、前記第３のリソースプールリストに含まれる第３のリソースプールにおける第１のサイドリンク物理チャネルおよび関連するＤＭＲＳのマッピング、および、前記第４のリソースプールリストに含まれる第４のリソースプールにおける第１のサイドリンク物理チャネルおよび関連するＤＭＲＳのマッピングは異なる。
【０３４２】
（１８）本発明の一態様による端末装置は、上記の端末装置であって、前記端末装置がインカバレッジである場合には、受信したＳＩＢ（System Information Block）に含まれるパラメータに基づいて、前記第３のリソースプールにおける第１のサイドリンク物理チャネルおよび関連するＤＭＲＳのマッピング、および、前記第３のリソースプールにおける第１のサイドリンク物理チャネルおよび関連するＤＭＲＳのマッピングが決定される。
【０３４３】
（１９）本発明の一態様による方法は、第１のリソースプールリスト、および、第２のリソースプールリストに基づいて、第１のサイドリンク物理チャネル、および、前記第１のサイドリンク物理チャネルに関連するＤＭＲＳ（Demodulation Reference Signal）を
送信するステップと、端末装置の速度に基づいて、前記第１のリソースプールリスト、または、前記第２のリソースプールリストを選択するステップと、前記端末装置の速度が、第１の閾値を超えない場合には、前記第１のリソースプールリストから第１のリソースプールを選択するステップと、前記端末装置の速度が、前記第１の閾値を超える場合には、前記第２のリソースプールリストから第２のリソースプールを選択ステップと、を含み、前記第１のリソースプールのＴＴＩ（Transmission Time Interval）内の前記第１のサイドリンク物理チャネルのマッピングおよび／または前記ＤＭＲＳのマッピングは、前記第２のリソースプールのＴＴＩ内の前記第１のサイドリンク物理チャネルのマッピングおよび／または前記ＤＭＲＳのマッピングと異なる。
【０３４４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果
を奏する要素同士を置換した構成も含まれる。
【符号の説明】
【０３４５】
５０１  上位層
５０２  制御部
５０３  コードワード生成部
５０４  下りリンクサブフレーム生成部
５０５  下りリンク参照信号生成部
５０６  ＯＦＤＭ信号送信部
５０７  送信アンテナ
５０８  受信アンテナ
５０９  ＳＣ−ＦＤＭＡ信号受信部
５１０  上りリンクサブフレーム処理部
５１１  上りリンク制御情報抽出部
６０１  受信アンテナ
６０２  ＯＦＤＭ信号受信部
６０３  下りリンクサブフレーム処理部
６０４  下りリンク参照信号抽出部
６０５  トランスポートブロック抽出部
６０６  制御部
６０７  上位層
６０８  チャネル状態測定部
６０９  上りリンクサブフレーム生成部
６１０  上りリンク制御情報生成部
６１１、６１２  ＳＣ−ＦＤＭＡ信号送信部
６１３、６１４  送信アンテナ
【図１】
2019149594.tif 000003
【図２】
2019149594.tif 000004
【図３】
2019149594.tif 000005
【図４】
2019149594.tif 000006
【図５】
2019149594.tif 000007